(57)【要約】【課題】  ロック解除時にユーザが入力する情報を外部から読み取られにくくする頭部装着型表示装置、ロック解除処理システム、プログラム及びロック解除処理システムの制御方法等の提供。【解決手段】  頭部装着型表示装置１００は、表示画像を表示する表示部１１０と、表示部１１０に表示画像を表示する制御を行う表示制御部１２０を含む。そして、表示制御部１２０は、頭部装着型表示装置１００又は頭部装着型表示装置１００と通信接続された端末装置２００のロック状態をユーザ１０が解除するために用いるロック解除用画面を表示部１１０に表示し、ロック解除用画面を用いて頭部装着型表示装置１００又は端末装置２００のロック状態が解除された場合には、頭部装着型表示装置１００又は端末装置２００のロック状態が解除されたことをユーザ１０に通知するロック解除通知画面を表示部１１０に表示する。【選択図】      図２
2014078814.tif 000002
【特許請求の範囲】
【請求項１】
ユーザの頭部に装着され、表示画像を表示する表示部と、
前記表示部に前記表示画像を表示する制御を行う表示制御部と、
を含み、
前記表示制御部は、
頭部装着型表示装置又は前記頭部装着型表示装置と通信接続された端末装置のロック状態を前記ユーザが解除するために用いるロック解除用画面を前記表示部に表示し、前記ロック解除用画面を用いて、前記頭部装着型表示装置又は前記端末装置の前記ロック状態が解除された場合には、前記頭部装着型表示装置又は前記端末装置の前記ロック状態が解除されたことを前記ユーザに通知するロック解除通知画面を前記表示部に表示することを特徴とする頭部装着型表示装置。
【請求項２】
請求項１において、
ユーザ操作情報を取得する操作情報取得部と、
前記ロック解除用画面において入力された前記ユーザ操作情報に基づいて、前記頭部装着型表示装置又は前記端末装置の前記ロック状態が解除されたか否かを判定する処理部を含むことを特徴とする頭部装着型表示装置。
【請求項３】
請求項２において、
前記表示制御部は、
前記ロック解除用画面として、複数の選択肢画像が配置された画面を前記表示部に表示し、
前記処理部は、
前記ロック解除用画面に配置された前記複数の選択肢画像の中でいずれの選択肢画像が選択されたかを、取得された前記ユーザ操作情報に基づいて特定し、前記ユーザによる前記選択肢画像の選択パターンがロック解除パターンと一致するか否かを判定し、前記選択パターンが前記ロック解除パターンと一致すると判定した場合には、前記ロック状態が解除されたと判定することを特徴とする頭部装着型表示装置。
【請求項４】
請求項３において、
前記表示制御部は、
前記ロック解除用画面として、前記複数の選択肢画像が横一行若しくは縦一列に配置された画面、又は横ｉ行かつ縦ｊ列の二次元配列に従って（ｉ、ｊは正の整数であり、ｉ、ｊのうち少なくとも一方が２以上である）、前記複数の選択肢画像が配置された画面を、前記表示部に表示することを特徴とする頭部装着型表示装置。
【請求項５】
請求項３において、
前記表示制御部は、
前記ロック解除用画面として、前記複数の選択肢画像がランダムな位置に配置された画面を前記表示部に表示することを特徴とする頭部装着型表示装置。
【請求項６】
請求項３乃至５のいずれかにおいて、
前記表示制御部は、
第１の表示タイミングでは、前記ロック解除用画面として第１のロック解除用画面を前記表示部に表示し、
前記第１の表示タイミングと異なる第２の表示タイミングでは、前記複数の選択肢画像の配置位置が前記第１のロック解除用画面と異なる第２のロック解除用画面を前記ロック解除用画面として前記表示部に表示することを特徴とする頭部装着型表示装置。
【請求項７】
請求項３乃至５のいずれかにおいて、
前記表示制御部は、
前記複数の選択肢画像の配置位置が定期的に変更された前記ロック解除用画面を前記表示部に表示することを特徴とする頭部装着型表示装置。
【請求項８】
請求項３乃至７のいずれかにおいて、
前記処理部は、
初期選択タイミングにおいて、前記複数の選択肢画像のうちのいずれかの前記選択肢画像を初期選択状態に設定し、
前記表示制御部は、
少なくとも、初期選択状態に設定された前記選択肢画像が配置された前記ロック解除用画面を前記表示部に表示することを特徴とする頭部装着型表示装置。
【請求項９】
請求項８において、
前記処理部は、
第１の初期選択タイミングでは、第１の選択肢画像〜第Ｎの選択肢画像のうちの第ｋの選択肢画像を初期選択状態に設定し（Ｎは正の整数であり、ｋは１≦ｋ≦Ｎの整数である）、
前記第１の初期選択タイミングと異なる第２の初期選択タイミングでは、前記第１の選択肢画像〜前記第Ｎの選択肢画像のうちの第ｍの選択肢画像を初期選択状態に設定する（ｍは、１≦ｍ≦Ｎかつｋ≠ｍの整数である）ことを特徴とする頭部装着型表示装置。
【請求項１０】
請求項３乃至９のいずれかにおいて、
前記処理部は、
前記ロック解除用画面において、現在、選択状態に設定されている選択肢画像に対して、次に選択状態となる選択肢画像が配置される方向を示す選択方向を、前記ユーザ操作情報に基づいて特定することを特徴とする頭部装着型表示装置。
【請求項１１】
請求項１０において、
前記処理部は、
第１の選択肢画像〜第Ｎの選択肢画像のうちの第ｒの選択肢画像を選択状態に設定している場合に（Ｎは正の整数であり、ｒは１≦ｒ≦Ｎの整数である）、前記操作情報取得部により前記ユーザ操作情報が取得された場合には、
第１の選択タイミングでは、前記選択方向を第１の方向に設定し、前記ロック解除用画面において、前記第ｒの選択肢画像に対して前記第１の方向に配置されている第ｓの選択肢画像を選択状態に設定し（ｓは、１≦ｓ≦Ｎ、ｒ≠ｓの整数である）、
前記第１の選択タイミングと異なる第２の選択タイミングでは、前記選択方向を前記第１の方向と異なる第２の方向に設定し、前記ロック解除用画面において、前記第ｒの選択肢画像に対して前記第２の方向に配置されている第ｔの選択肢画像を選択状態に設定する（ｔは、１≦ｔ≦Ｎ、ｒ≠ｔの整数である）ことを特徴とする頭部装着型表示装置。
【請求項１２】
請求項３乃至１１のいずれかにおいて、
前記操作情報取得部は、
前記ユーザ操作情報としてモーションセンサー信号をモーションセンサーから取得することを特徴とする頭部装着型表示装置。
【請求項１３】
請求項１２において、
前記操作情報取得部は、
前記ユーザの頭部の動きを表す前記モーションセンサー信号を前記モーションセンサーから取得し、
前記処理部は、
前記モーションセンサー信号に基づいて前記ユーザの頭部の動きを特定し、前記ロック解除用画面において、現在、選択状態に設定されている選択肢画像に対して、次に選択状態となる選択肢画像が配置される方向を示す選択方向を、前記ユーザの頭部の動きに基づいて特定することを特徴とする頭部装着型表示装置。
【請求項１４】
請求項３乃至１３のいずれかにおいて、
前記操作情報取得部は、
選択操作を行うための選択操作部と選択の確定操作を行うための選択確定操作部を有するユーザインタフェース部から前記ユーザ操作情報を取得し、
前記処理部は、
前記ユーザ操作情報に基づいて、前記選択操作部が操作されたことが検出された場合には、現在、選択状態に設定されている前記選択肢画像を非選択状態に設定し、他の選択肢画像を選択状態に設定し、
前記ユーザ操作情報に基づいて、前記選択確定操作部が操作されたことが検出された場合には、現在、選択状態に設定されている前記選択肢画像を選択確定することを特徴とする頭部装着型表示装置。
【請求項１５】
請求項２乃至１４のいずれかにおいて、
前記操作情報取得部は、
前記表示画像を表示すると共に、前記ユーザ操作情報を検出するタッチパネルを有する前記端末装置から、前記ユーザ操作情報を取得することを特徴とする頭部装着型表示装置。
【請求項１６】
請求項１５において、
前記処理部は、
前記ユーザ操作情報に基づいて、前記タッチパネルがフリックされたことを検出した場合には、現在、選択状態に設定されている選択肢画像を非選択状態に設定し、他の選択肢画像を選択状態に設定し、
前記ユーザ操作情報に基づいて、前記タッチパネルがタップされたことを検出した場合には、現在、選択状態に設定されている前記選択肢画像を選択確定にすることを特徴とする頭部装着型表示装置。
【請求項１７】
請求項１５において、
前記処理部は、
前記ユーザ操作情報に基づいて、前記タッチパネルがシングルタップされたことを検出した場合には、現在、選択状態に設定されている選択肢画像を非選択状態に設定し、他の選択肢画像を選択状態に設定し、
前記ユーザ操作情報に基づいて、前記タッチパネルがダブルタップされたことを検出した場合には、現在、選択状態である前記選択肢画像を選択確定にすることを特徴とする頭部装着型表示装置。
【請求項１８】
請求項１乃至１７のいずれかにおいて、
前記表示制御部は、
前記ロック解除用画面として、アイコン画像、文字、数字、記号及び図形のうち少なくともいずれかを組み合わせた複数の選択肢画像画面を前記表示部に表示することを特徴とする頭部装着型表示装置。
【請求項１９】
請求項１において、
前記表示制御部は、
前記ロック解除用画面として、複数の選択肢画像が配置された画面を前記表示部に表示し、
ユーザ操作情報に基づいて特定された前記ユーザによる選択肢画像の選択パターンが、ロック解除パターンと一致すると判定された場合には、前記ロック解除通知画面を前記表示部に表示することを特徴とする頭部装着型表示装置。
【請求項２０】
請求項１９において、
前記表示制御部は、
第１の表示タイミングでは、前記ロック解除用画面として第１のロック解除用画面を前記表示部に表示し、
前記第１の表示タイミングと異なる第２の表示タイミングでは、前記複数の選択肢画像の配置位置が前記第１のロック解除用画面と異なる第２のロック解除用画面を前記ロック解除用画面として前記表示部に表示することを特徴とする頭部装着型表示装置。
【請求項２１】
請求項１９又は２０において、
前記表示制御部は、
初期選択タイミングにおいて前記複数の選択肢画像の中で初期選択状態に設定された前記選択肢画像が配置された前記ロック解除用画面を、前記表示部に表示することを特徴とする頭部装着型表示装置。
【請求項２２】
請求項２１において、
前記表示制御部は、
第１の初期選択タイミングにおいて第１の選択肢画像〜第Ｎの選択肢画像のうちの第ｋの選択肢画像が初期選択状態に設定された前記ロック解除用画面を（Ｎは正の整数であり、ｋは１≦ｋ≦Ｎの整数である）、前記表示部に表示し、
前記第１の初期選択タイミングと異なる第２の初期選択タイミングにおいて前記第１の選択肢画像〜前記第Ｎの選択肢画像のうちの第ｍの選択肢画像が初期選択状態に設定された前記ロック解除用画面を（ｍは、１≦ｍ≦Ｎかつｋ≠ｍの整数である）、前記表示部に表示することを特徴とする頭部装着型表示装置。
【請求項２３】
請求項１９乃至２２のいずれかにおいて、
前記ユーザ操作情報を取得する操作情報取得部を含み、
前記表示制御部は、
第１の選択肢画像〜第Ｎの選択肢画像のうちの第ｒの選択肢画像が選択状態に設定されている場合に（Ｎは正の整数であり、ｒは１≦ｒ≦Ｎの整数である）、前記ユーザ操作情報が取得された場合には、
第１の選択タイミングでは、前記第ｒの選択肢画像に対して第１の方向に配置されている第ｓの選択肢画像が選択状態に設定された前記ロック解除用画面を（ｓは、１≦ｓ≦Ｎ、ｒ≠ｓの整数である）、前記表示部に表示し、
前記第１の選択タイミングと異なる第２の選択タイミングでは、前記第ｒの選択肢画像に対して前記第１の方向と異なる前記第２の方向に配置されている第ｔの選択肢画像が選択状態に設定された前記ロック解除用画面を（ｔは、１≦ｔ≦Ｎ、ｒ≠ｔの整数である）、前記表示部に表示することを特徴とする頭部装着型表示装置。
【請求項２４】
請求項１９乃至２３のいずれかにおいて、
前記ユーザ操作情報としてモーションセンサー信号をモーションセンサーから取得する操作情報取得部を含むことを特徴とする頭部装着型表示装置。
【請求項２５】
請求項１９乃至２４のいずれかにおいて、
選択操作を行うための選択操作部と選択の確定操作を行うための選択確定操作部を有するユーザインタフェース部から前記ユーザ操作情報を取得する操作情報取得部を含み、
前記表示制御部は、
前記ユーザ操作情報に基づいて、前記選択操作部が操作されたことを検出された場合には、現在、選択状態に設定されている前記選択肢画像が非選択状態に設定され、他の選択肢画像が選択状態に設定された前記ロック解除用画面を、前記表示部に表示し、
前記ユーザ操作情報に基づいて、前記選択確定操作部が操作されたことを検出された場合には、現在、前記選択状態に設定されている前記選択肢画像が選択確定された前記ロック解除用画面を、前記表示部に表示することを特徴とする頭部装着型表示装置。
【請求項２６】
頭部装着型表示装置と、
前記頭部装着型表示装置と通信接続された端末装置と、
を含むロック解除処理システムであって、
前記頭部装着型表示装置は、
第１の表示画像を表示する第１の表示部と、
前記第１の表示部に前記第１の表示画像を表示する制御を行う第１の表示制御部と、
を有し、
前記端末装置は、
第２の表示画像を表示する第２の表示部と、
前記第２の表示部に前記第２の表示画像を表示する制御を行う第２の表示制御部と、
を有し
前記頭部装着型表示装置又は前記端末装置は、
ロック解除の判定処理を行う処理部と、
ユーザ操作情報を取得する操作情報取得部と、
を有し、
前記第１の表示制御部は、
前記頭部装着型表示装置又は前記端末装置のロック解除用画面を前記第１の表示部に表示し、
前記処理部は、
前記ロック解除用画面において入力された前記ユーザ操作情報に基づいて、前記頭部装着型表示装置又は前記端末装置のロック状態が解除されたか否かを判定し、
前記第１の表示制御部は、
前記頭部装着型表示装置又は前記端末装置の前記ロック状態が解除されたと判定された場合には、前記頭部装着型表示装置又は前記端末装置のロック解除通知画面を前記第１の表示部に表示することを特徴とするロック解除処理システム。
【請求項２７】
請求項２６において、
前記第１の表示制御部は、
ロック解除処理中においては、前記第１の表示部にロック解除用画面を表示し、
前記第２の表示制御部は、
前記ロック解除処理中においては、前記第２の表示部を非表示状態に設定し、前記ロック状態が解除されたと前記処理部により判定された場合には、前記第２の表示部を表示状態に設定することを特徴とするロック解除処理システム。
【請求項２８】
表示画像を表示する表示部と、
前記表示部に表示画像を表示する制御を行う表示制御部として、
コンピューターを機能させ
前記表示制御部は、
頭部装着型表示装置又は前記頭部装着型表示装置と通信接続された端末装置のロック状態をユーザが解除するために用いるロック解除用画面を前記表示部に表示し、前記ロック解除用画面を用いて、前記頭部装着型表示装置又は前記端末装置の前記ロック状態が解除された場合には、前記頭部装着型表示装置又は前記端末装置の前記ロック状態が解除されたことを前記ユーザに通知するロック解除通知画面を前記表示部に表示することを特徴とするプログラム。
【請求項２９】
第１の表示画像を表示する第１の表示部と、
前記第１の表示部に前記第１の表示画像を表示する制御を行う第１の表示制御部と、
第２の表示画像を表示する第２の表示部と、
前記第２の表示部に前記第２の表示画像を表示する制御を行う第２の表示制御部と、
ロック解除の判定処理を行う処理部と、
ユーザ操作情報を取得する操作情報取得部として、
コンピューターを機能させ、
前記第１の表示制御部は、
頭部装着型表示装置又は前記頭部装着型表示装置と通信接続された端末装置のロック解除用画面を前記第１の表示部に表示し、
前記処理部は、
前記ロック解除用画面において入力された前記ユーザ操作情報に基づいて、前記頭部装着型表示装置又は前記端末装置のロック状態が解除されたか否かを判定し、
前記第１の表示制御部は、
前記頭部装着型表示装置又は前記端末装置の前記ロック状態が解除されたと判定された場合には、前記頭部装着型表示装置又は前記端末装置のロック解除通知画面を前記第１の表示部に表示することを特徴とするプログラム。
【請求項３０】
頭部装着型表示装置と前記頭部装着型表示装置に通信接続された端末装置とを有するロック解除処理システムの制御方法であって、
前記頭部装着型表示装置又は前記端末装置のロック解除用画面を、前記頭部装着型表示装置の第１の表示部に表示する制御を行い、
前記端末装置の第２の表示部の表示制御を行い、
ユーザ操作情報を取得し、
取得された前記ユーザ操作情報に基づいて、前記頭部装着型表示装置又は前記端末装置のロック状態が解除されたか否かを判定し、
前記頭部装着型表示装置又は前記端末装置の前記ロック状態が解除されたと判定された場合には、前記頭部装着型表示装置又は前記端末装置のロック解除通知画面を前記第１の表示部に表示することを特徴とするロック解除処理システムの制御方法。
【発明の詳細な説明】
【技術分野】
【０００１】
本発明は、頭部装着型表示装置、ロック解除処理システム、プログラム及びロック解除処理システムの制御方法等に関係する。
【背景技術】
【０００２】
従来から、頭部に装着して用いる表示装置としてＨＭＤ（Head Mounted Display：ヘッドマウントディスプレイ、頭部装着型表示装置）が知られている。
【０００３】
このＨＭＤは、ＨＭＤ単体で用いられることもあるが、一方で、携帯型の端末装置などとセットで用いられることも多い。ＨＭＤが携帯型の端末装置などとセットで用いられる場合には、例えば特許文献１や特許文献２に記載される発明のように、端末装置の表示部として用いられることがある。
【０００４】
例えば、特許文献１に記載される発明では、ＰＤＡ（Personal Digital Assistance）のユーザインタフェース部（ボタン、キー、ダイヤル、タッチパネルやペン等）を介してユーザにより入力された情報を、ＰＤＡの表示部とＨＭＤの表示部の両方に表示させる。
【０００５】
また、特許文献２に記載される発明では、端末装置がユーザの指の位置を検出し、検出した指の位置に基づいて、指の画像をＨＭＤの表示部に表示させる。さらに、キーボード画像を、指の画像に重畳させてＨＭＤの表示部に表示する。
【先行技術文献】
【特許文献】
【０００６】
【特許文献１】特開２００３−２７９８８１号公報
【特許文献２】特開２０１２−８８４７４号公報
【発明の概要】
【発明が解決しようとする課題】
【０００７】
前述したＨＭＤや端末装置を利用する際には、ユーザの体の一部にぶつかるなどして、誤ってＨＭＤや端末装置の操作ボタン等を押してしまったり、ＨＭＤや端末装置を放置している間に第三者に勝手に操作されてしまったりすることがある。
【０００８】
そこで、これらの誤操作防止やセキュリティ上の理由から、ＨＭＤや端末装置の操作制限をするなどして、これらの機器にロックを掛けることがある。この場合にロックを解除する際には、例えばパスワード等をユーザに入力させ、正しいパスワードが入力されたと判定した場合には、ロックを解除する。
【０００９】
しかし、パスワードの入力中に外部からキー操作などを盗み見されて、キー操作からパスワードを読み取られ、その結果、パスワードが漏洩してしまう可能性もある。このように、簡単に外部からパスワードを読み取ることができる場合には、せっかくＨＭＤ等にロックをかけても、第三者により簡単にロックを解除されてしまう恐れがあるため、ロックをかけている意義が薄れてしまう。
【００１０】
本発明の幾つかの態様によれば、ロック解除時にユーザが入力する情報を外部から読み取られにくくすることができる頭部装着型表示装置、ロック解除処理システム、プログラム及びロック解除処理システムの制御方法等を提供することができる。
【課題を解決するための手段】
【００１１】
本発明の一態様は、ユーザの頭部に装着され、表示画像を表示する表示部と、前記表示部に前記表示画像を表示する制御を行う表示制御部と、を含み、前記表示制御部は、頭部装着型表示装置又は前記頭部装着型表示装置と通信接続された端末装置のロック状態を前記ユーザが解除するために用いるロック解除用画面を前記表示部に表示し、前記ロック解除用画面を用いて、前記頭部装着型表示装置又は前記端末装置の前記ロック状態が解除された場合には、前記頭部装着型表示装置又は前記端末装置の前記ロック状態が解除されたことを前記ユーザに通知するロック解除通知画面を前記表示部に表示する頭部装着型表示装置に関係する。
【００１２】
本発明の一態様では、頭部装着型表示装置又は端末装置がロック状態である場合に、表示制御部が、頭部装着型表示装置の表示部にロック解除用画面を表示する。そして、頭部装着型表示装置又は端末装置のロック状態が解除された場合には、表示制御部は、ロック解除通知画面を頭部装着型表示装置の表示部に表示する。
【００１３】
以上のように本発明の一態様では、頭部装着型表示装置の表示部に、ロック解除用画面とロック解除通知画面を表示するため、ロック解除時にユーザが入力する情報を外部から読み取られにくくすることが可能になる。
【００１４】
また、本発明の一態様では、ユーザ操作情報を取得する操作情報取得部と、前記ロック解除用画面において入力された前記ユーザ操作情報に基づいて、前記頭部装着型表示装置又は前記端末装置の前記ロック状態が解除されたか否かを判定する処理部を含んでもよい。
【００１５】
これにより、ユーザが、頭部装着型表示装置のみを用いて、頭部装着型表示装置のロック解除を行うこと等が可能になる。
【００１６】
また、本発明の一態様では、前記表示制御部は、前記ロック解除用画面として、複数の選択肢画像が配置された画面を前記表示部に表示し、前記処理部は、前記ロック解除用画面に配置された前記複数の選択肢画像の中でいずれの選択肢画像が選択されたかを、取得された前記ユーザ操作情報に基づいて特定し、前記ユーザによる前記選択肢画像の選択パターンがロック解除パターンと一致するか否かを判定し、前記選択パターンが前記ロック解除パターンと一致すると判定した場合には、前記ロック状態が解除されたと判定してもよい。
【００１７】
これにより、ユーザは、頭部装着型表示装置の表示部に表示された選択肢画像を、ロック解除パターンと同じ順番で選択確定することにより、ロック状態を解除すること等が可能になる。
【００１８】
また、本発明の一態様では、前記表示制御部は、前記ロック解除用画面として、前記複数の選択肢画像が横一行若しくは縦一列に配置された画面、又は横ｉ行かつ縦ｊ列の二次元配列に従って（ｉ、ｊは正の整数であり、ｉ、ｊのうち少なくとも一方が２以上である）、前記複数の選択肢画像が配置された画面を、前記表示部に表示してもよい。
【００１９】
これにより、ユーザが、毎回同じ操作を行うことにより、各選択肢画像を順番に選択状態にすること等が可能になり、入力情報を外部から解読することをより困難にすること等が可能になる。
【００２０】
また、本発明の一態様では、前記表示制御部は、前記ロック解除用画面として、前記複数の選択肢画像がランダムな位置に配置された画面を前記表示部に表示してもよい。
【００２１】
これにより、外部から入力情報を解読することをより困難にすること等が可能になる。
【００２２】
また、本発明の一態様では、前記表示制御部は、第１の表示タイミングでは、前記ロック解除用画面として第１のロック解除用画面を前記表示部に表示し、前記第１の表示タイミングと異なる第２の表示タイミングでは、前記複数の選択肢画像の配置位置が前記第１のロック解除用画面と異なる第２のロック解除用画面を前記ロック解除用画面として前記表示部に表示してもよい。
【００２３】
これにより、例えば、異なるタイミングにユーザが同じ操作を行った場合に、操作後に選択状態になっている選択肢画像を変えること等が可能になり、外部から入力情報を解読することをより困難にすること等が可能になる。
【００２４】
また、本発明の一態様では、前記表示制御部は、前記複数の選択肢画像の配置位置が定期的に変更された前記ロック解除用画面を前記表示部に表示してもよい。
【００２５】
これにより、例えば、複数の選択肢画像の配置位置が変更されるタイミングの前後のタイミングにおいて、同じ操作を行った場合に、操作後に選択状態になっている選択肢画像を変えること等が可能になり、外部から入力情報を解読することをより困難にすること等が可能になる。
【００２６】
また、本発明の一態様では、前記処理部は、初期選択タイミングにおいて、前記複数の選択肢画像のうちのいずれかの前記選択肢画像を初期選択状態に設定し、前記表示制御部は、少なくとも、初期選択状態に設定された前記選択肢画像が配置された前記ロック解除用画面を前記表示部に表示してもよい。
【００２７】
これにより、例えばロック解除処理の開始時に、複数の選択肢画像のうちのいずれかの選択肢画像を自動的に選択状態にすること等が可能になる。
【００２８】
また、本発明の一態様では、前記処理部は、第１の初期選択タイミングでは、第１の選択肢画像〜第Ｎの選択肢画像のうちの第ｋの選択肢画像を初期選択状態に設定し（Ｎは正の整数であり、ｋは１≦ｋ≦Ｎの整数である）、前記第１の初期選択タイミングと異なる第２の初期選択タイミングでは、前記第１の選択肢画像〜前記第Ｎの選択肢画像のうちの第ｍの選択肢画像を初期選択状態に設定してもよい（ｍは、１≦ｍ≦Ｎかつｋ≠ｍの整数である）。
【００２９】
これにより、例えば、異なるタイミングにユーザが同じ操作を行った場合に、操作後に選択状態になっている選択肢画像を変えること等が可能になり、外部から入力情報を解読することをより困難にすること等が可能になる。
【００３０】
また、本発明の一態様では、前記処理部は、前記ロック解除用画面において、現在、選択状態に設定されている選択肢画像に対して、次に選択状態となる選択肢画像が配置される方向を示す選択方向を、前記ユーザ操作情報に基づいて特定してもよい。
【００３１】
これにより、例えばユーザが同じ操作を行った場合にも、選択方向を変えること等が可能になり、外部から入力情報を解読することをより困難にすること等が可能になる。
【００３２】
また、本発明の一態様では、前記処理部は、第１の選択肢画像〜第Ｎの選択肢画像のうちの第ｒの選択肢画像を選択状態に設定している場合に（Ｎは正の整数であり、ｒは１≦ｒ≦Ｎの整数である）、前記操作情報取得部により前記ユーザ操作情報が取得された場合には、第１の選択タイミングでは、前記選択方向を第１の方向に設定し、前記ロック解除用画面において、前記第ｒの選択肢画像に対して前記第１の方向に配置されている第ｓの選択肢画像を選択状態に設定し（ｓは、１≦ｓ≦Ｎ、ｒ≠ｓの整数である）、前記第１の選択タイミングと異なる第２の選択タイミングでは、前記選択方向を前記第１の方向と異なる第２の方向に設定し、前記ロック解除用画面において、前記第ｒの選択肢画像に対して前記第２の方向に配置されている第ｔの選択肢画像を選択状態に設定してもよい（ｔは、１≦ｔ≦Ｎ、ｒ≠ｔの整数である）。
【００３３】
これにより、例えばユーザが同じ操作を行った場合に、タイミング毎に、選択方向を異なる方向に決定して、操作後に選択状態になっている選択肢画像を変えること等が可能になり、外部から入力情報を解読することをより困難にすること等が可能になる。
【００３４】
また、本発明の一態様では、前記操作情報取得部は、前記ユーザ操作情報としてモーションセンサー信号をモーションセンサーから取得してもよい。
【００３５】
これにより、ユーザの体の動きに応じて、複数の選択肢画像のうちのいずれかの選択肢画像を選択状態にすること等が可能になる。
【００３６】
また、本発明の一態様では、前記操作情報取得部は、前記ユーザの頭部の動きを表す前記モーションセンサー信号を前記モーションセンサーから取得し、前記処理部は、前記モーションセンサー信号に基づいて前記ユーザの頭部の動きを特定し、前記ロック解除用画面において、現在、選択状態に設定されている選択肢画像に対して、次に選択状態となる選択肢画像が配置される方向を示す選択方向を、前記ユーザの頭部の動きに基づいて特定してもよい。
【００３７】
これにより、ユーザの頭部の動きに応じて、複数の選択肢画像のうちのいずれかの選択肢画像を選択状態にすること等が可能になる。
【００３８】
また、本発明の一態様では、前記操作情報取得部は、選択操作を行うための選択操作部と選択の確定操作を行うための選択確定操作部を有するユーザインタフェース部から前記ユーザ操作情報を取得し、前記処理部は、前記ユーザ操作情報に基づいて、前記選択操作部が操作されたことが検出された場合には、現在、選択状態に設定されている前記選択肢画像を非選択状態に設定し、他の選択肢画像を選択状態に設定し、前記ユーザ操作情報に基づいて、前記選択確定操作部が操作されたことが検出された場合には、現在、選択状態に設定されている前記選択肢画像を選択確定してもよい。
【００３９】
これにより、ユーザインタフェース部のユーザの操作内容に応じて、複数の選択肢画像のうちのいずれかの選択肢画像を選択状態にすること等が可能になる。
【００４０】
また、本発明の一態様では、前記操作情報取得部は、前記表示画像を表示すると共に、前記ユーザ操作情報を検出するタッチパネルを有する前記端末装置から、前記ユーザ操作情報を取得してもよい。
【００４１】
これにより、タッチパネルのユーザの操作内容に応じて、複数の選択肢画像のうちのいずれかの選択肢画像を選択状態にすること等が可能になる。
【００４２】
また、本発明の一態様では、前記処理部は、前記ユーザ操作情報に基づいて、前記タッチパネルがフリックされたことを検出した場合には、現在、選択状態に設定されている選択肢画像を非選択状態に設定し、他の選択肢画像を選択状態に設定し、前記ユーザ操作情報に基づいて、前記タッチパネルがタップされたことを検出した場合には、現在、選択状態に設定されている前記選択肢画像を選択確定にしてもよい。
【００４３】
これにより、フリック操作という直感的な操作をユーザが行うことにより、選択状態にある選択肢画像を変更し、同様にタップ操作という直感的な操作をユーザが行うことにより、現在、選択状態である選択肢画像を選択確定すること等が可能になる。
【００４４】
また、本発明の一態様では、前記処理部は、前記ユーザ操作情報に基づいて、前記タッチパネルがシングルタップされたことを検出した場合には、現在、選択状態に設定されている選択肢画像を非選択状態に設定し、他の選択肢画像を選択状態に設定し、前記ユーザ操作情報に基づいて、前記タッチパネルがダブルタップされたことを検出した場合には、現在、選択状態である前記選択肢画像を選択確定にしてもよい。
【００４５】
これにより、ユーザは、タッチパネルをタップする回数を変えるだけで、選択操作と選択確定操作のそれぞれを行うこと等が可能になる。
【００４６】
また、本発明の一態様では、前記表示制御部は、前記ロック解除用画面として、アイコン画像、文字、数字、記号及び図形のうち少なくともいずれかを組み合わせた複数の選択肢画像画面を前記表示部に表示してもよい。
【００４７】
これにより、外部から画面状態の推測がより困難なロック解除用画面を用いること等が可能になる。
【００４８】
また、本発明の一態様では、前記表示制御部は、前記ロック解除用画面として、複数の選択肢画像が配置された画面を前記表示部に表示し、ユーザ操作情報に基づいて特定された前記ユーザによる選択肢画像の選択パターンが、ロック解除パターンと一致すると判定された場合には、前記ロック解除通知画面を前記表示部に表示してもよい。
【００４９】
これにより、ユーザは、頭部装着型表示装置の表示部に表示された選択肢画像を、ロック解除パターンと同じ順番で選択確定することにより、ロック状態を解除すること等が可能になる。
【００５０】
また、本発明の一態様では、前記表示制御部は、第１の表示タイミングでは、前記ロック解除用画面として第１のロック解除用画面を前記表示部に表示し、前記第１の表示タイミングと異なる第２の表示タイミングでは、前記複数の選択肢画像の配置位置が前記第１のロック解除用画面と異なる第２のロック解除用画面を前記ロック解除用画面として前記表示部に表示してもよい。
【００５１】
これにより、例えば、異なるタイミングにユーザが同じ操作を行った場合に、操作後に選択状態になっている選択肢画像を変えること等が可能になり、外部から入力情報を解読することをより困難にすること等が可能になる。
【００５２】
また、本発明の一態様では、前記表示制御部は、初期選択タイミングにおいて前記複数の選択肢画像の中で初期選択状態に設定された前記選択肢画像が配置された前記ロック解除用画面を、前記表示部に表示してもよい。
【００５３】
これにより、例えばロック解除処理の開始時に、複数の選択肢画像のうちのいずれかの選択肢画像を自動的に選択状態にすること等が可能になる。
【００５４】
また、本発明の一態様では、前記表示制御部は、第１の初期選択タイミングにおいて第１の選択肢画像〜第Ｎの選択肢画像のうちの第ｋの選択肢画像が初期選択状態に設定された前記ロック解除用画面を（Ｎは正の整数であり、ｋは１≦ｋ≦Ｎの整数である）、前記表示部に表示し、前記第１の初期選択タイミングと異なる第２の初期選択タイミングにおいて前記第１の選択肢画像〜前記第Ｎの選択肢画像のうちの第ｍの選択肢画像が初期選択状態に設定された前記ロック解除用画面を（ｍは、１≦ｍ≦Ｎかつｋ≠ｍの整数である）、前記表示部に表示してもよい。
【００５５】
これにより、例えば、異なるタイミングにユーザが同じ操作を行った場合に、操作後に選択状態になっている選択肢画像を変えること等が可能になり、外部から入力情報を解読することをより困難にすること等が可能になる。
【００５６】
また、本発明の一態様では、前記ユーザ操作情報を取得する操作情報取得部を含み、前記表示制御部は、第１の選択肢画像〜第Ｎの選択肢画像のうちの第ｒの選択肢画像が選択状態に設定されている場合に（Ｎは正の整数であり、ｒは１≦ｒ≦Ｎの整数である）、前記操作情報取得部により前記ユーザ操作情報が取得された場合には、第１の選択タイミングでは、前記第ｒの選択肢画像に対して第１の方向に配置されている第ｓの選択肢画像が選択状態に設定された前記ロック解除用画面を（ｓは、１≦ｓ≦Ｎ、ｒ≠ｓの整数である）、前記表示部に表示し、前記第１の選択タイミングと異なる第２の選択タイミングでは、前記第ｒの選択肢画像に対して前記第１の方向と異なる前記第２の方向に配置されている第ｔの選択肢画像が選択状態に設定された前記ロック解除用画面を（ｔは、１≦ｔ≦Ｎ、ｒ≠ｔの整数である）、前記表示部に表示してもよい。
【００５７】
これにより、例えばユーザが同じ操作を行った場合に、タイミング毎に、選択方向を異なる方向に決定して、操作後に選択状態になっている選択肢画像を変えること等が可能になり、外部から入力情報を解読することをより困難にすること等が可能になる。
【００５８】
また、本発明の一態様では、前記ユーザ操作情報としてモーションセンサー信号をモーションセンサーから取得する操作情報取得部を含んでもよい。
【００５９】
これにより、ユーザの体の動きに応じて、複数の選択肢画像のうちのいずれかの選択肢画像を選択状態にすること等が可能になる。
【００６０】
また、本発明の一態様では、選択操作を行うための選択操作部と選択の確定操作を行うための選択確定操作部を有するユーザインタフェース部から前記ユーザ操作情報を取得する操作情報取得部を含み、前記表示制御部は、前記ユーザ操作情報に基づいて、前記選択操作部が操作されたことを検出された場合には、現在、選択状態に設定されている前記選択肢画像が非選択状態に設定され、他の選択肢画像が選択状態に設定された前記ロック解除用画面を、前記表示部に表示し、前記ユーザ操作情報に基づいて、前記選択確定操作部が操作されたことを検出された場合には、現在、前記選択状態に設定されている前記選択肢画像が選択確定された前記ロック解除用画面を、前記表示部に表示してもよい。
【００６１】
これにより、ユーザインタフェース部のユーザの操作内容に応じて、複数の選択肢画像のうちのいずれかの選択肢画像を選択状態にすること等が可能になる。
【００６２】
また、本発明の他の態様では、頭部装着型表示装置と、前記頭部装着型表示装置と通信接続された端末装置と、を含むロック解除処理システムであって、前記頭部装着型表示装置は、第１の表示画像を表示する第１の表示部と、前記第１の表示部に前記第１の表示画像を表示する制御を行う第１の表示制御部と、を有し、前記端末装置は、第２の表示画像を表示する第２の表示部と、前記第２の表示部に前記第２の表示画像を表示する制御を行う第２の表示制御部と、を有し、前記頭部装着型表示装置又は前記端末装置は、ロック解除の判定処理を行う処理部と、ユーザ操作情報を取得する操作情報取得部と、を有し、前記第１の表示制御部は、前記頭部装着型表示装置又は前記端末装置のロック解除用画面を前記第１の表示部に表示し、前記処理部は、前記ロック解除用画面において入力された前記ユーザ操作情報に基づいて、前記頭部装着型表示装置又は前記端末装置のロック状態が解除されたか否かを判定し、前記第１の表示制御部は、前記頭部装着型表示装置又は前記端末装置の前記ロック状態が解除されたと判定された場合には、前記頭部装着型表示装置又は前記端末装置のロック解除通知画面を前記第１の表示部に表示するロック解除処理システムに関係する。
【００６３】
本発明の他の態様では、頭部装着型表示装置の表示部に、ロック解除用画面とロック解除通知画面を表示するため、ロック解除時にユーザが入力する情報を外部から読み取られにくくすることが可能になる。
【００６４】
また、本発明の他の態様では、前記第１の表示制御部は、ロック解除処理中においては、前記第１の表示部にロック解除用画面を表示し、前記第２の表示制御部は、前記ロック解除処理中においては、前記第２の表示部を非表示状態に設定し、前記ロック状態が解除されたと前記処理部により判定された場合には、前記第２の表示部を表示状態に設定してもよい。
【００６５】
これにより、端末装置の表示部を第三者に盗み見られることによるロック解除用のパスワード等の漏洩を防止すること等が可能になる。
【００６６】
また、本発明の他の態様では、上記各部としてコンピューターを機能させるプログラムに関係する。
【００６７】
また、本発明の他の態様では、頭部装着型表示装置と前記頭部装着型表示装置に通信接続された端末装置とを有するロック解除処理システムの制御方法であって、前記頭部装着型表示装置又は前記端末装置のロック解除用画面を、前記頭部装着型表示装置の第１の表示部に表示する制御を行い、前記端末装置の第２の表示部の表示制御を行い、ユーザ操作情報を取得し、取得された前記ユーザ操作情報に基づいて、前記頭部装着型表示装置又は前記端末装置のロック状態が解除されたか否かを判定し、前記頭部装着型表示装置又は前記端末装置の前記ロック状態が解除されたと判定された場合には、前記頭部装着型表示装置又は前記端末装置のロック解除通知画面を前記第１の表示部に表示するロック解除処理システムの制御方法に関係する。
【図面の簡単な説明】
【００６８】
【図１】図１（Ａ）及び図１（Ｂ）は、本実施形態のシステム構成例。
【図２】第１のシステム構成例の詳細な説明図。
【図３】第２のシステム構成例の詳細な説明図。
【図４】本実施形態の他のシステム構成例。
【図５】第３のシステム構成例の詳細な説明図。
【図６】図６（Ａ）〜図６（Ｅ）は、ロック解除用画面とロック解除処理の説明図。
【図７】図７（Ａ）〜図７（Ｄ）は、複数の選択肢画像の配置例の説明図。
【図８】図８（Ａ）及び図８（Ｂ）は、頭部の動きに基づいて選択肢画像を選択する処理の説明図。
【図９】ＨＭＤに設けられた選択操作部と選択確定操作部の説明図。
【図１０】図１０（Ａ）〜図１０（Ｃ）は、タッチパネルを用いて選択肢画像を選択する手法の説明図。
【図１１】図１１（Ａ）及び図１１（Ｂ）は、端末装置の表示部を非表示状態に設定する手法の説明図。
【図１２】本実施形態の処理の流れを説明するシーケンス図。
【図１３】ユーザ自身に関係のある内容を含む選択肢画像の説明図。
【図１４】図１４（Ａ）〜図１４（Ｃ）は、指でなぞられた選択範囲の順番に基づいて行うロック解除処理の説明図。
【発明を実施するための形態】
【００６９】
以下、本実施形態について説明する。まず、本実施形態の概要を説明し、次に本実施形態のシステム構成例について説明する。そして、本実施形態の手法について説明し、最後に、フローチャートを用いて具体的な処理の詳細について説明する。なお、以下に説明する本実施形態は、特許請求の範囲に記載された本発明の内容を不当に限定するものではない。また本実施形態で説明される構成の全てが、本発明の必須構成要件であるとは限らない。
【００７０】
１．概要
従来から、頭部に装着して用いる表示装置としてＨＭＤ（Head Mounted Display：ヘッドマウントディスプレイ、頭部装着型表示装置）が知られている。
【００７１】
このＨＭＤは、ＨＭＤ単体で用いられることもあるが、一方で、携帯型の端末装置などとセットで用いられることも多い。ＨＭＤが携帯型の端末装置などとセットで用いられる場合には、例えば前述した特許文献１や特許文献２に記載される発明のように、端末装置の表示部として用いられることがある。
【００７２】
例えば、前述した特許文献１に記載される発明では、ＰＤＡ（Personal Digital Assistance）のユーザインタフェース部（ボタン、キー、ダイヤル、タッチパネルやペン等）を介してユーザにより入力された情報を、ＰＤＡの表示部とＨＭＤの表示部の両方に表示させる。これにより、例えばＨＭＤの表示部の表示領域がＰＤＡの表示部の表示領域よりも広い場合には、ユーザはより大きく表示された表示画像を見ることができる。
【００７３】
また、前述した特許文献２に記載される発明では、端末装置が指の位置を検出し、検出した指の位置に基づいて、指の画像をＨＭＤの表示部に表示させる。さらに、キーボード画像を、指の画像に重畳させてＨＭＤの表示部に表示する。これにより、例えばユーザはＨＭＤの表示部のみを見ながら、キー入力を行うことができる。
【００７４】
前述したＨＭＤや端末装置を利用する際には、ユーザの体の一部にぶつかるなどして、誤ってＨＭＤや端末装置の操作ボタン等を押してしまったり、ＨＭＤや端末装置を放置している間に第三者に勝手に操作されてしまったりすることがある。
【００７５】
そこで、これらの誤操作防止やセキュリティ上の理由から、ＨＭＤや端末装置の操作制限をするなどして、これらの機器にロックを掛けることがある。この場合にロックを解除する際には、例えばパスワード等をユーザに入力させ、正しいパスワードが入力されたと判定した場合には、ロックを解除する。そして、これまでは、ＨＭＤ又は端末装置のロックを解除する際にも、前述した特許文献１や特許文献２に記載される手法を用いていた。
【００７６】
しかし、パスワードの入力中に外部からキー操作などを盗み見されて、キー操作からパスワードを読み取られ、その結果、パスワードが漏洩してしまう可能性もある。
【００７７】
例えば、前述した特許文献１に記載される発明では、ＨＭＤの表示部だけでなく、ＰＤＡの表示部にもユーザにより入力された内容を表示する。一方で、ＰＤＡの表示部やキー操作は外部から簡単に覗くことができる。そのため、前述した特許文献１に記載される発明を用いてパスワードを入力する場合には、容易にパスワードを読み取られてしまう恐れがある。
【００７８】
このように、簡単に外部からパスワードを読み取ることができる場合には、せっかくＨＭＤ等にロックをかけても、第三者により簡単にロックを解除されてしまう恐れがあるため、ロックをかけている意義が薄れてしまう。
【００７９】
また、前述した特許文献２に記載される発明を用いてパスワードを入力する手法では、無刻印キーボード画像に重畳するテンキー画像のキー配列を、キーを押す度にランダムに変更すれば、第三者によるパスワード推定は困難となるが、構成要素として、撮像部に加え、無刻印のキーボード画像にテンキー画像を重畳する画像処理部が必要になるため、ＨＭＤの構成が複雑になり、さらに製造コストが高くなるという問題点がある。また、無刻印キーボード画像へテンキー画像を重畳する処理が難しいという問題点もあった。
【００８０】
そこで、以下で説明する本実施形態のＨＭＤやロック解除処理システムでは、撮像部や画像を重畳する画像処理部などを設けずに、ＨＭＤ又は端末装置のロック解除時のユーザによる入力情報を外部から読み取られにくくする。
【００８１】
具体的には、ユーザ入力情報として、ＨＭＤのユーザインタフェース部の操作情報や、ユーザの頭部の動き等を取得し、これらの情報に基づいて、ロック解除の判定処理を行う。さらに、入力内容を端末装置の表示部には表示せず、ＨＭＤの表示部にのみ表示する。これにより、ロック解除時のユーザによる入力情報を外部から読み取られにくくする。
【００８２】
なお、ロック解除判定処理については、ＨＭＤの処理部が行う場合と、端末装置が行う場合の二つの場合があるため、以下では３つのシステム構成例を挙げて説明する。
【００８３】
２．システム構成例
まず図１（Ａ）に、ユーザ１０が本実施形態の頭部装着型表示装置（ＨＭＤ）１００を利用している様子を示す。図１（Ａ）においてユーザ１０は、頭部装着型表示装置１００を頭部に装着しており、端末装置２００を所持している。具体的に、本実施形態の頭部装着型表示装置１００は、図１（Ｂ）に示すような形状をしており、眼鏡の側面に取り付けるものである。
【００８４】
２．１  第１のシステム構成例
次に、本実施形態の第１のシステム構成例として、頭部装着型表示装置の詳細な構成例を図２に示す。なお、第１のシステム構成例は、主に頭部装着型表示装置のロックを解除する場合に用いることが多いが、これに限定されない。
【００８５】
頭部装着型表示装置１００は、表示部１１０と、表示制御部１２０と、処理部１３０と、操作情報取得部１４０と、ユーザインタフェース部３００と、モーションセンサー４００と、を含む。なお、頭部装着型表示装置１００は、図２の構成に限定されず、これらの一部の構成要素を省略したり、他の構成要素を追加したりするなどの種々の変形実施が可能である。また、図２では通信部を省略している。
【００８６】
次に各部の接続について説明する。まず、表示制御部１２０が表示部１１０に接続されている。また、処理部１３０が表示制御部１２０に接続されており、操作情報取得部１４０が処理部１３０に接続されている。そして、ユーザインタフェース部３００と、モーションセンサー４００が、操作情報取得部１４０に有線又は無線により通信接続されている。
【００８７】
次に第１のシステム構成例の各部で行われる処理について説明する。
【００８８】
まず、表示部１１０は、後述する表示制御部１２０の表示制御に従って表示画像を表示する。表示部１１０は、例えば液晶ディスプレイや有機ＥＬディスプレイ、電子ペーパーなどにより実現できる。また、表示部１１０は、ハーフミラー等の偏向部やユーザの目に直接、表示画像を投影する投影部であってもよい。
【００８９】
次に、表示制御部１２０は、表示画像を表示部１１０に表示する制御を行う。
【００９０】
また、処理部１３０は、ロック解除処理等を行う。なお、表示制御部１２０及び処理部１３０の機能は、各種プロセッサー（ＣＰＵ等）、ＡＳＩＣ（ゲートアレイ等）などのハードウェアや、プログラムなどにより実現できる。
【００９１】
さらに、操作情報取得部１４０は、後述するユーザインタフェース部３００と、モーションセンサー４００のうち、少なくともいずれか一つと有線又は無線通信により接続されており、ユーザ操作情報を取得する。なお、操作情報取得部１４０は、ユーザインタフェース部３００と、モーションセンサー４００のうち、必ずしもどちらか一つからユーザ操作情報を取得するとは限られず、ユーザインタフェース部３００とモーションセンサー４００の両方から、ユーザ操作情報を取得してもよい。
【００９２】
次に、ユーザインタフェース部３００は、ユーザからの入力情報を取得する。ユーザインタフェース部３００は、操作部であってもよく、この場合には、例えばキーボードやマウス、タッチパネル、ボタン、カメラ、マイク等により構成されていてもよい。また、ユーザインタフェース部３００は、図２のように頭部装着型表示装置１００に含まれていても良いし、頭部装着型表示装置１００と有線又は無線により通信接続された独立した装置であっても良い。
【００９３】
そして、モーションセンサー４００は、モーションセンサー信号を検出し、操作情報取得部１４０とモーションセンサー信号の送受信処理を行う。モーションセンサー４００は、例えば加速度センサーである。その場合には、モーションセンサー信号として加速度センサー信号を検出する。加速度センサーは、例えば外力によって抵抗値が増減する素子等で構成され、三軸の加速度情報を検知する。また他にも、加速度センサーは、三軸の力に加えて、三軸の周りのモーメントを検出する六軸の加速度センサーであってもよい。さらに、モーションセンサーは、加速度センサーに限定されず、地磁気センサー等の方位センサーやジャイロセンサー等であってもよい。方位センサーは、センサーの向いている方位を角度（０°〜３６０°）で計測する。地磁気センサーは、例えば磁場の強さによって抵抗値やインピーダンス値が増減する素子等で構成され、三軸の地磁気情報を検知する。また、地磁気センサーや加速度センサー、ジャイロセンサーの機能を併せ持つセンサーを用いてもよい。なお、モーションセンサー４００は、図２のように頭部装着型表示装置１００に含まれていても良いし、頭部装着型表示装置１００と有線又は無線により通信接続されていても良い。
【００９４】
２．２  第２のシステム構成例
次に、本実施形態の第２のシステム構成例として、頭部装着型表示装置の構成の変形例を図３に示す。なお、第２のシステム構成例は、主に端末装置のロックを解除する場合に用いることが多いが、これに限定されない。
【００９５】
図３に示す頭部装着型表示装置１００は、表示部１１０と、表示制御部１２０と、操作情報取得部１４０と、第１の通信部１５０と、ユーザインタフェース部３００と、モーションセンサー４００と、を含み、処理部１３０を含まない。この場合には、処理部１３０は、例えば端末装置２００などに含まれる。図３の例では、端末装置２００は、処理部１３０と、第２の通信部２５０と、タッチパネル２９０と、を含む。
【００９６】
具体的に、端末装置２００は、例えばスマートフォンやＰＤＡ等の携帯型の端末装置（電子機器）である。他にも、端末装置２００は、ＰＣ（Personal Computer）やデジタルオーディオプレーヤー、ゲーム機、ＡＴＭ（現金自動預け払い機：Automatic teller machine）、自動販売機、コピー機、カーナビゲーションシステムなどの電子機器であってもよい。
【００９７】
次に各部の接続について説明する。図３に示す第２のシステム構成例の頭部装着型表示装置１００においては、操作情報取得部１４０が表示制御部１２０に接続されており、第１の通信部１５０が表示制御部１２０に接続されている点が、図２に示す第１のシステム構成例と異なる。また、端末装置２００では、タッチパネル２９０が処理部１３０と第２の通信部２５０に接続されており、処理部１３０が第２の通信部２５０に接続されている。そして、第２の通信部２５０が、操作情報取得部１４０及び第１の通信部１５０に無線又は有線により通信接続されている。その他の接続関係は、図２の場合と同様である。
【００９８】
次に、第２のシステム構成例の各部で行われる処理について説明する。なお、表示部１１０と、表示制御部１２０、ユーザインタフェース部３００、モーションセンサー４００については、図２を用いて説明したものと同様のため、説明を省略する。
【００９９】
端末装置２００は、処理部１３０の一部又は全部を含んでいてもよく、この場合には、第１のシステム構成例では頭部装着型表示装置１００内の処理部１３０が行っていたロック解除処理の一部又は全部の処理を、端末装置２００内の処理部１３０が行う。
【０１００】
また、第２のシステム構成例では、端末装置２００は、タッチパネル２９０を有している。タッチパネル２９０は、表示画像を表示し、ユーザ操作情報を検出する。ただし、端末装置２００が、必ずしもタッチパネル２９０を有しているとは限らず、キーボード、マウス、ボタン、カメラ、マイクなどの他のユーザインタフェース部３００を有していてもよい。さらに、端末装置２００は、モーションセンサー４００を含んでいてもよい。
【０１０１】
そして、第１の通信部１５０と第２の通信部２５０は、例えば、Ｗｉｆｉ（登録商標）やＢｌｕｅｔｏｏｔｈ（登録商標）などの通信規格で互いに情報を送受信する。なお、第１の通信部１５０と第２の通信部２５０は、有線により通信を行うものであってもよく、無線により通信を行うものであってもよい。また、操作情報取得部１４０と、第１の通信部１５０は、同一の機能部であってもよいし、図３のようにそれぞれ別の機能部であってもよい。
【０１０２】
図３の例では、ユーザ操作情報を操作情報取得部１４０が受信し、ロック解除の判定結果の受信及び選択パターンに関する情報の送信を第１の通信部１５０が行う。
【０１０３】
２．３  第３のシステム構成例
次に、端末装置のロックを解除する場合について説明する。この場合には、図４に示すように、例えば、ＰＣ２００と無線により通信接続された頭部装着型表示装置１００と、ＰＣ２００と有線接続されたキーボード３００を用いて、ＰＣ２００のロック状態を解除する。ただし、頭部装着型表示装置１００のロック状態を解除するものであってもよい。
【０１０４】
このような本実施形態の第３のシステム構成例として、ロック解除処理システムの詳細な構成例を図５に示す。第３のシステム構成例のロック解除処理システムは、頭部装着型表示装置１００と、頭部装着型表示装置１００と通信接続される端末装置２００とを含む。
【０１０５】
そして、頭部装着型表示装置１００は、第１の表示部１１０（図２の表示部１１０）と、第１の表示制御部１２０（図２の表示制御部１２０）と、第１の通信部１５０を含んでおり、処理部１３０と、操作情報取得部１４０と、を含まない点が、図２に示す第１のシステム構成例と異なる。
【０１０６】
一方で、端末装置２００は、第２の表示部２１０と、第２の表示制御部２２０と、処理部１３０と、操作情報取得部１４０と、第２の通信部２５０を含む。なお、ロック解除処理システムは、図５の構成に限定されず、これらの一部の構成要素を省略したり、他の構成要素を追加したりするなどの種々の変形実施が可能である。
【０１０７】
次に各部の接続について説明する。図５に示す第３のシステム構成例では、頭部装着型表示装置１００においては、第１の通信部１５０が、第１の表示制御部１２０に接続されており、第１の表示制御部１２０が、第１の表示部１１０に接続されている。
【０１０８】
一方、端末装置２００においては、ユーザインタフェース部３００又はモーションセンサー４００が、操作情報取得部１４０に接続されており、操作情報取得部１４０が、処理部１３０に接続されている。そして、処理部１３０が、第２の通信部２５０に接続されている。また、第２の表示制御部２２０が、第２の表示部２１０と第２の通信部２５０とに接続されている。さらに、第２の通信部２５０と第１の通信部１５０が、有線又は無線により通信接続されている。
【０１０９】
次に第３のシステム構成例の各部で行われる処理について説明する。なお、第１の表示部１１０と、第１の表示制御部１２０、処理部１３０、操作情報取得部１４０、第１の通信部１５０、第２の通信部２５０、ユーザインタフェース部３００、モーションセンサー４００の機能は、図２及び図３を用いて説明したものと同様であるため、説明を省略する。
【０１１０】
まず、第２の表示部２１０は、第１の表示部１１０と同様に、第２の表示制御部１２０の表示制御に従って表示画像を表示する。第２の表示部２１０は、例えば液晶ディスプレイや有機ＥＬディスプレイ、電子ペーパーなどにより実現できる。また、第２の表示部２１０は、図３の第２のシステム構成例において示したタッチパネル２９０であってもよい。この場合には、第２の表示部２１０（タッチパネル２９０）は、ユーザインタフェース部としての機能も備えている。
【０１１１】
次に、第２の表示制御部２２０は、表示画像を第２の表示部２１０に表示する制御を行う。なお、第２の表示制御部２２０の機能は、各種プロセッサー（ＣＰＵ等）、ＡＳＩＣ（ゲートアレイ等）などのハードウェアや、プログラムなどにより実現できる。
【０１１２】
３．手法
次に、本実施形態の手法について説明する。
【０１１３】
本実施形態の頭部装着型表示装置１００は、ユーザ１０の頭部に装着され、表示画像を表示する表示部１１０と、表示部１１０に表示画像を表示する制御を行う表示制御部１２０と、を含む。そして、表示制御部１２０は、頭部装着型表示装置１００又は頭部装着型表示装置１００と通信接続された端末装置２００のロック状態をユーザ１０が解除するために用いるロック解除用画面を表示部１１０に表示する。さらに、ロック解除用画面を用いて、頭部装着型表示装置１００又は端末装置２００のロック状態が解除された場合には、表示制御部１２０は、頭部装着型表示装置１００又は端末装置２００のロック状態が解除されたことをユーザ１０に通知するロック解除通知画面を表示部１１０に表示する。
【０１１４】
本実施形態では、頭部装着型表示装置１００又は端末装置２００がロック状態である場合に、表示制御部１２０が、頭部装着型表示装置１００の表示部１１０にロック解除用画面を表示する。これにより、頭部装着型表示装置１００又は端末装置２００がロック状態であることを、ユーザに通知することが可能になる。
【０１１５】
ここで、ロック状態とは、頭部装着型表示装置１００のロック状態及び端末装置２００のロック状態のうちのいずれかの状態又は両方の状態のことをいう。
【０１１６】
そして、頭部装着型表示装置１００のロック状態は、例えば頭部装着型表示装置１００の表示部１１０の表示制限を行う状態や、頭部装着型表示装置１００の側面等に設けられたボタンなどの操作部の操作制限を行う状態などを指す。
【０１１７】
一方で、端末装置２００のロック状態とは、例えば端末装置２００の表示部の表示制限を行う状態や、端末装置２００のタッチパネル２９０等などの操作部や、キーボードなどの外部のユーザインタフェース部３００の操作制限を行う状態、さらには、端末装置２００の一部の機能の使用制限を行う状態などを指す。
【０１１８】
また、ロック解除用画面とは、頭部装着型表示装置１００又は端末装置２００のロック状態である場合に、頭部装着型表示装置１００の表示部１１０に表示する画面であって、ロック状態をユーザ１０が解除するために用いる画面のことをいう。例えば、ロック解除用画面は、後述する図１０（Ｂ）のような画面や、後述する図１１（Ｂ）の画面ＫＩＭなどである。
【０１１９】
そして、後述するロック解除処理によって、ロック状態が解除された場合には、表示制御部１２０は、ロック解除通知画面を表示部１１０に表示する。これにより、頭部装着型表示装置１００又は端末装置２００のロック状態が解除されたことを、ユーザに通知することが可能になる。
【０１２０】
ここで、ロック解除通知画面とは、頭部装着型表示装置１００又は端末装置２００のロック状態が解除された場合に、頭部装着型表示装置１００の表示部１１０に表示する画面であって、頭部装着型表示装置１００又は端末装置２００のロック状態が解除されたことをユーザ１０に通知する画面である。また、ロック解除通知画面は、例えば後述する図１１（Ｂ）の画面ＵＬＩＭのように、明示的にロック解除を通知する画面であってもよいし、待ち受け画面などの通常画面であり、暗黙的にロック状態が解除されたことを通知する画面であってもよい。
【０１２１】
なお、ロック解除用画面及びロック解除通知画面は、頭部装着型表示装置１００及び端末装置２００のどちらで生成された画面であってもよい。
【０１２２】
以上のように、本実施形態では、頭部装着型表示装置１００の表示部１１０に、ロック解除用画面とロック解除通知画面をそれぞれ表示する。また、この際には、ロック解除用画面及びロック解除通知画面の少なくとも一方を、頭部装着型表示装置１００の表示部１１０にのみ表示し、端末装置２００の表示部には表示しないことが望ましい。
【０１２３】
また、頭部装着型表示装置１００の表示部１１０ならば、端末装置２００等の表示部に比べて、外部から表示画像の内容が見えないようにすることが容易である。さらに、例えば、表示部１１０が液晶ディスプレイや有機ＥＬディスプレイ等である場合には、元々、外界から表示内容を確認することができない形状になっている場合が多い。
【０１２４】
そのため、ロック解除時にユーザが入力する情報を外部から読み取られにくくすることが可能になる。その結果として、外部の第三者からロック解除用のパスワード等を読み取られることを防ぐことが可能になる。
【０１２５】
また、本実施形態の頭部装着型表示装置１００は、ユーザ操作情報を取得する操作情報取得部１４０と、ロック解除用画面において入力されたユーザ操作情報に基づいて、頭部装着型表示装置１００又は端末装置２００のロック状態が解除されたか否かを判定する処理部１３０を含んでもよい。
【０１２６】
ここで、ユーザ操作情報とは、ロック状態を解除するためにユーザが行った操作の内容を表す情報のことをいう。なお、ユーザ操作情報の具体例については、後に詳述する。
【０１２７】
これにより、ユーザが、頭部装着型表示装置１００のみを用いて、頭部装着型表示装置１００のロック解除を行うこと等が可能になる。この場合には、頭部装着型表示装置１００以外の他の装置を用いる必要がないため、手軽にロック解除を行うことができる点で有利である。
【０１２８】
一方で、前述した第２のシステム構成例や第３のシステム構成例のように、端末装置２００が処理部１３０を含んでもよい。
【０１２９】
これにより、例えば端末装置２００のロック状態を解除する場合には、端末装置２００内でロック解除判定処理を行うことが可能になるため、わざわざ他の装置にロック解除判定処理を行ってもらう必要がなくなる。そのため、端末装置２００のロック状態を解除する場合には、第２のシステム構成例や第３のシステム構成例に示したような頭部装着型表示装置１００やロック解除処理システムを用いることが望ましい。
【０１３０】
さらに、この場合であっても、頭部装着型表示装置１００の表示部１１０に、ロック解除用画面とロック解除通知画面をそれぞれ表示するため、ロック解除時にユーザが入力する情報を外部から読み取られにくくすることも可能である。
【０１３１】
なお、端末装置２００に処理部１３０が含まれる場合には、頭部装着型表示装置１００及び端末装置２００間で送受信する情報に対して、暗号化を行っておき、暗号化済みの情報を送受信することが望ましい。送信した情報が第三者により盗まれ、パスワード等が漏洩することを防ぐためである。
【０１３２】
次に、本実施形態のおけるロック解除用画面の具体例について、図６（Ａ）〜図６（Ｅ）、図７（Ａ）〜図７（Ｄ）を用いて説明する。
【０１３３】
表示制御部１２０は、ロック解除用画面として、複数の選択肢画像が配置された画面を表示部１１０に表示してもよい。そして、処理部１３０は、ロック解除用画面に配置された複数の選択肢画像の中でいずれの選択肢画像が選択されたかを、取得されたユーザ操作情報に基づいて特定し、ユーザ１０による選択肢画像の選択パターンがロック解除パターンと一致するか否かを判定し、選択パターンがロック解除パターンと一致すると判定した場合には、ロック状態が解除されたと判定してもよい。
【０１３４】
ここで、選択肢画像とは、ロックを解除するために入力する情報の候補を表す画像のことをいう。選択肢画像は、例えばアイコン画像や文字（文字列）、数字、記号、図形等であり、ロック解除用画面内に配置されて表示部１１０に表示される。
【０１３５】
すなわち、表示制御部１２０は、ロック解除用画面として、アイコン画像、文字、数字、記号及び図形のうち少なくともいずれかを組み合わせた複数の選択肢画像画面を表示部１１０に表示してもよい。
【０１３６】
具体的には、図６（Ｂ）〜図６（Ｅ）の例では、選択肢画像は、アイコン画像であり、右から、錨（画像ＣＩＭ１）、テニスラケット（画像ＣＩＭ２）、たき火（画像ＣＩＭ３）、乗馬（画像ＣＩＭ４）、魚（画像ＣＩＭ５）、錨（画像ＣＩＭ６）、魚（画像ＣＩＭ７）を表す画像である。なお、この例のように、同一の内容の選択肢画像（錨と魚の選択肢画像）を含んでも構わない。
【０１３７】
また、選択肢画像は、ロック解除用画面内に設定される選択範囲と言い換えてもよい。例えば、後述する図１１（Ｂ）のように、ロック解除用画面として、テンキー画面ＫＩＭが表示される場合には、テンキー画面ＫＩＭ内のそれぞれのキー（数字キー、記号キー等）が、選択範囲（選択肢画像）となる。
【０１３８】
そして、ユーザ１０による選択肢画像の選択パターンがロック解除パターンと一致すると判定した場合には、ロック状態が解除されたと判定する。
【０１３９】
ここで、選択パターンとは、選択された選択肢画像とその選択順の組み合わせのことをいう。例えば、図６（Ｂ）の例では、始めに「乗馬」の選択肢画像ＣＩＭ４が初期選択状態にあり、次に、「魚」の選択肢画像ＣＩＭ５が選択状態にされて、選択確定され、次に「たき火」の選択肢画像ＣＩＭ３を選択確定し、さらに続けて、「錨」の選択肢画像ＣＩＭ１を選択確定している。この場合には、選択パターンは「魚→たき火→錨」となる。
【０１４０】
一方、ロック解除パターンとは、選択肢画像と選択順の組み合わせの一つであって、ユーザによる選択パターンがそのパターンと一致した場合には、ロックを解除することを決定するパターンのことをいう。ロック解除パターンは、所謂、ロック状態を解除する正解パターンのことである。
【０１４１】
例えば、図６（Ｂ）〜図６（Ｅ）の例に対するロック解除パターンを図６（Ａ）に示す。この場合には、ロック解除パターンは「魚→たき火→錨」である。したがって、前述した図６（Ｂ）の場合の選択パターンはロック解除パターンと一致しているため、処理部１３０はロック状態を解除すると判定する。
【０１４２】
これにより、ユーザは、頭部装着型表示装置１００の表示部１１０に表示された選択肢画像を、ロック解除パターンと同じ順番で選択確定することにより、ロック状態を解除すること等が可能になる。なお、図６（Ｂ）と図６（Ｃ）〜図６（Ｅ）の選択方法の違いについては後に詳述する。
【０１４３】
また、図６（Ｂ）〜図６（Ｅ）では、ロック解除用画面内に、「魚」を表す画像と、「錨」を表す画像がそれぞれ二つずつ配置されているが、本例では、どちらの画像を選んでも良いものとする。つまり、例えば図６（Ｃ）の例では、「魚」の画像として選択肢画像ＣＩＭ７を選択確定しているが、選択肢画像ＣＩＭ５を選択確定していても良いものとする。
【０１４４】
ここでは、具体的に図６（Ｃ）の例において、「魚」の画像として選択肢画像ＣＩＭ７を選択する場合と選択肢画像ＣＩＭ５を選択する場合の選択操作の違いについて説明する。
【０１４５】
まず、「魚」の画像として選択肢画像ＣＩＭ７を選択する場合、すなわちＣＩＭ７、ＣＩＭ３、ＣＩＭ１の順で選択肢画像を選択確定する場合には、選択位置を右に１つ移動させ、次に左に４つ移動させ、さらに左に２つ移動させる。
【０１４６】
一方で、「魚」の画像として選択肢画像ＣＩＭ７を選択する場合、すなわちＣＩＭ５、ＣＩＭ３、ＣＩＭ１の順で選択肢画像を選択確定する場合には、選択位置を左に１つ移動させ、次に左に２つ移動させ、さらに左に２つ移動させる。
【０１４７】
すなわち、ロック解除用画面内に同じ選択肢画像を複数配置することによって、同じロック解除パターンを入力する場合であっても、ユーザが選択操作を変えること等が可能になる。その結果、第三者からロック解除パターンをより推測されにくくすること等が可能になる。
【０１４８】
また、選択肢画像及びロック解除パターンは、図６（Ａ）〜図６（Ｅ）の例には限定されない。例えばその他にも図１３に示すように、選択肢画像が、ユーザの家族や友人が映った画像（ユーザ自身に関係のある画像）と、ユーザとは全く関係のない画像などであってもよく、この場合にロック解除パターンを、ユーザに関係のある選択肢画像の組み合わせ等にしてもよい。
【０１４９】
つまり、図１３の例では、ＣＩＭ１〜ＣＩＭ９の画像が選択肢画像であり、このうち、ユーザ自身ＵＳが映っている画像ＣＩＭ３と、ユーザの家族ＦＭが映っている画像ＣＩＭ４と、ユーザの友達ＦＲが映っている画像ＣＩＭ７が、ユーザ自身に関係のある画像である。また、その他の画像（ＣＩＭ１、ＣＩＭ２、ＣＩＭ５、ＣＩＭ６、ＣＩＭ８、ＣＩＭ９）は、ユーザとは全く関係のない画像である。この時に、ロック解除パターンを順不同で、ＣＩＭ３、ＣＩＭ４、ＣＩＭ７に設定する。
【０１５０】
これによれば、ユーザがロック解除パターンを覚えていない場合であっても、逐一ユーザ自身に関係のある画像か否か（例えば家族や友人が映っている画像であるか否か）を判断して、ロック解除パターンを入力すること等が可能になる。
【０１５１】
なお、図１３では、人物以外のものが映っている画像を例に挙げて、その他の画像を説明したが、これらの画像は、ユーザとは全く関係のない人物が映った画像であってもよい。このように全ての選択肢画像に人物が映っている場合には、万一、第三者により覗きこまれた場合であっても、どの画像がユーザ自身に関係のある画像であるかを特定困難にすること等が可能になる。
【０１５２】
さて、頭部装着型表示装置１００の表示部１１０に表示されている内容を外部から確認できない状態で、ロック解除を行う場合には、ユーザの操作を第三者に外部から盗み見られて、操作手順と操作内容から入力情報を推定される恐れがある。
【０１５３】
そこで、表示制御部１２０は、ロック解除用画面として、複数の選択肢画像が横一行若しくは縦一列に配置された画面、又は横ｉ行かつ縦ｊ列の二次元配列に従って（ｉ、ｊは正の整数であり、ｉ、ｊのうち少なくとも一方が２以上である）、複数の選択肢画像が配置された画面を、表示部１１０に表示してもよい。
【０１５４】
これにより、例えば、図６（Ｂ）〜図６（Ｅ）のように、複数の選択肢画像が横一行に配置されたロック解除用画面を用いる場合には、右から左へ、又は左から右へと順番に選択肢画像を選択状態にすること等が可能となる。
【０１５５】
同様に、複数の選択肢画像が縦一列に配置されたロック解除用画面を用いる場合には、上から下へ、又は下から上へ順番に選択肢画像を選択状態にすること等が可能となる。
【０１５６】
このように、複数の選択肢画像が横一行又は縦一列に配置されたロック解除用画面を用いれば、ユーザは、同じ操作を行って各選択肢画像を順番に選択状態にするため、入力情報を外部から解読することをより困難にすること等が可能になる。すなわち、ユーザがどの選択肢画像を選択状態にし、どの選択肢画像を選択確定したかを外部から判別することを困難にすること等が可能になる。
【０１５７】
また、図７（Ｃ）は、横２行かつ縦４列の二次元配置に従って、複数の選択肢画像が配置されているロック解除用画面の例である。
【０１５８】
このような複数の選択肢画像が二次元配列に従って配置されているロック解除用画面を用いる場合には、上下左右の４方向に、選択状態にする選択肢画像を変更すること等が可能になる。この場合も同様に、外部から入力情報を解読することをより困難にすること等が可能になる。
【０１５９】
また、表示制御部１２０は、ロック解除用画面として、複数の選択肢画像がランダムな位置に配置された画面を表示部１１０に表示してもよい。
【０１６０】
例えば、図７（Ｄ）のようなランダムな位置に選択肢画像が配置されたロック解除用画面を用いる。
【０１６１】
これにより、外部から入力情報を解読することをより困難にすること等が可能になる。
【０１６２】
また、表示制御部１２０は、第１の表示タイミングでは、ロック解除用画面として第１のロック解除用画面を表示部１１０に表示し、第１の表示タイミングと異なる第２の表示タイミングでは、複数の選択肢画像の配置位置が第１のロック解除用画面と異なる第２のロック解除用画面をロック解除用画面として表示部１１０に表示してもよい。
【０１６３】
例えば、第１のタイミングでは、複数の選択肢画像が図７（Ａ）のように配置されている第１のロック解除用画面を用いるが、第２のタイミングでは、図７（Ｂ）のように配置されている第２のロック解除用画面を用いる。
【０１６４】
さらに、表示制御部１２０は、複数の選択肢画像の配置位置が定期的に変更されたロック解除用画面を表示部１１０に表示してもよい。
【０１６５】
このように複数の選択肢画像の配置位置がタイミング毎に変われば、たとえユーザが同じ操作を行ったとしても、操作後に選択状態になっている選択肢画像が異なる。これにより、外部から入力情報を解読することをより困難にすること等が可能になる。
【０１６６】
また、処理部１３０は、初期選択タイミングにおいて、複数の選択肢画像のうちのいずれかの選択肢画像を初期選択状態に設定してもよい。そして、表示制御部１２０は、少なくとも、初期選択状態に設定された選択肢画像が配置されたロック解除用画面を表示部１１０に表示してもよい。
【０１６７】
ここで、初期選択状態とは、初期選択タイミングに、ユーザ操作情報に基づかないで、自動的に設定される選択状態のことをいう。例えば、前述した図６（Ｂ）の例では、選択肢画像ＣＩＭ４が初期選択状態に設定されている。
【０１６８】
また、選択状態とは、ロック状態を解除するために入力する情報として、その選択肢画像が選択されている状態のことをいう。例えば、ある選択肢画像が選択状態の時には、後述する図８（Ｂ）のように、カーソル画像ＣＳＲを重畳してその選択肢画像を表示したり、他の非選択状態の選択肢画像に比べて、選択状態である選択肢画像を大きく表示したり、色を変えたりしてもよい。また他にも、ある選択肢画像が選択状態の時に、ロック解除用画面内にその選択肢画像だけを表示する、言い換えれば、一画面内に、選択状態である一つの選択肢画像のみを表示したりしてもよい。ただし、これらに限らず、他の選択肢画像との表示の仕方に差異があることをユーザが判別できるような態様であれば良い。なお、ロック状態を解除するためには、選択状態に設定するだけでは足りず、現在、選択状態である選択肢画像を選択確定する必要がある。そして、選択状態である選択肢画像を選択確定することにより、前述した選択パターンが決定される。
【０１６９】
さらに、初期選択タイミングとは、例えばロック解除処理の開始時や、前述したように定期的に複数の選択肢画像の配置位置を変更する場合には、配置位置の変更タイミングなどを指す。
【０１７０】
これにより、例えばロック解除処理の開始時に、自動的に、複数の選択肢画像のうちのいずれかの選択肢画像を選択状態にすること等が可能になる。従って、いずれの選択肢画像も選択されていない状態から、いずれかの選択肢画像を選択状態にするユーザの手間を省くこと等が可能になる。
【０１７１】
また、処理部１３０は、第１の初期選択タイミングでは、第１の選択肢画像〜第Ｎの選択肢画像のうちの第ｋの選択肢画像を初期選択状態に設定し（Ｎは正の整数であり、ｋは１≦ｋ≦Ｎの整数である）、第１の初期選択タイミングと異なる第２の初期選択タイミングでは、第１の選択肢画像〜第Ｎの選択肢画像のうちの第ｍの選択肢画像を初期選択状態に設定してもよい（ｍは、１≦ｍ≦Ｎかつｋ≠ｍの整数である）。
【０１７２】
例えば、前述した図６（Ｂ）が第１の初期選択タイミングであり、図６（Ｃ）が第２の初期選択タイミングであるとする。この場合には、第１の初期選択タイミングでは、選択肢画像ＣＩＭ４が初期選択状態に設定されるが、第２の初期選択タイミングでは、他の選択肢画像である選択肢画像ＣＩＭ６が初期選択状態に設定される。
【０１７３】
このように初期選択状態にする選択肢画像がタイミング毎に変われば、例えばユーザが同じ操作を行ったとしても、操作後に選択状態に設定される選択肢画像が異なることになる。
【０１７４】
具体的には、図６（Ｂ）のロック解除処理の開始直後に、初期選択位置ＩＭＰの左隣に配置されている選択肢画像をユーザが選択状態に設定すると、たき火のアイコン画像（選択肢画像）ＣＩＭ３が選択状態になるが、一方で、図６（Ｃ）のロック解除処理の開始直後に、初期選択位置ＩＭＰの左隣に配置されている選択肢画像をユーザが選択状態に設定すると、魚のアイコン画像（選択肢画像）ＣＩＭ５が選択状態になる。
【０１７５】
この場合には、ユーザは、初期選択位置の左隣の選択肢画像を選択状態に設定するという同じ操作を行っているにも関わらず、操作後に選択状態に設定される選択肢画像が異なる。よって、外部からはユーザが同じ操作を行っているようにしか見えないため、外部から入力情報を解読することをより困難にすること等が可能になる。
【０１７６】
これに対して、図６（Ｂ）と図６（Ｃ）において、同じ選択操作を行った結果、同じ選択肢画像が選択状態に設定されることもある。例えば、図６（Ｂ）のロック解除処理の開始直後に、初期選択位置ＩＭＰの右隣の位置Ｐ１に配置されている選択肢画像を選択状態に設定すると、魚のアイコン画像（選択肢画像）ＣＩＭ５が選択状態になり、図６（Ｃ）のロック解除処理の開始直後に、初期選択位置ＩＭＰの右隣の位置Ｐ１に配置されている選択肢画像を選択状態に設定する場合にも、魚のアイコン画像（選択肢画像ＣＩＭ７）が選択状態になる。しかし、これは単に、魚のアイコン画像が両方の初期選択位置の右隣に配置されているという選択肢画像の配置上の理由であり、偶然に同じ選択肢画像が選択されるだけである。
【０１７７】
またこの場合であっても、魚のアイコン画像を選択確定した後に、ロック解除パターンを構成する次の選択肢画像（たき火のアイコン画像）を選択する場合には、図６（Ｂ）の例では、まず選択位置を右に２回移動させ、その後に選択位置を左に４回移動させる必要がある。一方で、図６（Ｃ）の例では、選択位置を左に４回移動させるだけで、たき火のアイコン画像を選択することができる。
【０１７８】
このように、初期選択位置を変更することにより、同一の選択肢画像を選択するための操作を変えること等が可能になる。
【０１７９】
また、処理部１３０は、ロック解除用画面において、現在、選択状態に設定されている選択肢画像に対して、次に選択状態となる選択肢画像が配置される方向を示す選択方向を、ユーザ操作情報に基づいて特定してもよい。
【０１８０】
すなわち、例えば、図６（Ｂ）の例では、初期選択位置ＩＭＰに配置されている選択肢画像ＣＩＭ４が初期選択状態になっているが、この後、ユーザの操作情報に基づいて、初期選択位置ＩＭＰの右側の位置Ｐ１に配置されている選択肢画像ＣＩＭ５を選択状態にするか、初期選択位置ＩＭＰの左側の位置Ｐ２に配置されている選択肢画像ＣＩＭ３を選択状態にするかを決定する。
【０１８１】
初期選択位置ＩＭＰの右側の位置Ｐ１に配置されている選択肢画像ＣＩＭ５を選択状態にする場合には、選択方向は右方向であるし、初期選択位置ＩＭＰの左側の位置Ｐ２に配置されている選択肢画像ＣＩＭ３を選択状態にする場合には、選択方向は左方向である。図６（Ｂ）では、選択方向が右方向に決定されている。
【０１８２】
そのため、たとえユーザが同じ操作を行ったとしても、選択方向を変えること等が可能になる。
【０１８３】
すなわち、処理部１３０は、第１の選択肢画像〜第Ｎの選択肢画像のうちの第ｒの選択肢画像を選択状態に設定している場合に（Ｎは正の整数であり、ｒは１≦ｒ≦Ｎの整数である）、操作情報取得部１４０によりユーザ操作情報が取得された場合には、第１の選択タイミングでは、選択方向を第１の方向に設定し、ロック解除用画面において、第ｒの選択肢画像に対して第１の方向に配置されている第ｓの選択肢画像を選択状態に設定し（ｓは、１≦ｓ≦Ｎ、ｒ≠ｓの整数である）、第１の選択タイミングと異なる第２の選択タイミングでは、選択方向を第１の方向と異なる第２の方向に設定し、ロック解除用画面において、第ｒの選択肢画像に対して第２の方向に配置されている第ｔの選択肢画像を選択状態に設定してもよい（ｔは、１≦ｔ≦Ｎ、ｒ≠ｔの整数である）。
【０１８４】
ここで、図６（Ｃ）と図６（Ｄ）を用いて具体例を説明する。まず、ロック解除処理の開始直後では、図６（Ｃ）と図６（Ｄ）のどちらの場合も、第１の選択肢画像ＣＩＭ１〜第７の選択肢画像ＣＩＭ７のうちの第６の選択肢画像ＣＩＭ６が選択状態に設定されている（Ｎ＝７、ｒ＝６）。
【０１８５】
そして、図６（Ｃ）と図６（Ｄ）の両方の場合に、操作情報取得部１４０が、同一のユーザ操作情報を取得したものとする。
【０１８６】
この時、第１の選択タイミング（図６（Ｃ））では、選択方向を第１の方向である右方向に設定する。そして、ロック解除用画面において、第６の選択肢画像ＣＩＭ６に対して右方向に配置されている第７の選択肢画像ＣＩＭ７を選択状態に設定する（ｓ＝７）。
【０１８７】
一方で、第２の選択タイミング（図６（Ｄ））では、選択方向を第２の方向である左方向に設定し、ロック解除用画面において、第６の選択肢画像ＣＩＭ６に対して左方向に配置されている第５の選択肢画像ＣＩＭ５を選択状態に設定する（ｔ＝５）。
【０１８８】
このように、たとえユーザが同じ操作を行ったとしても、タイミング毎に、異なる選択方向に決定されれば、操作後に選択状態になっている選択肢画像が異なる。よって、外部から入力情報を解読することをより困難にすること等が可能になる。
【０１８９】
なお、図６（Ｂ）や図６（Ｃ）の例のように、ロック解除画面の端点で折り返すようにして、ユーザに選択肢画像を選択させてもよいし、図６（Ｅ）のように、ロック解除画面の端点に到達すると、もう一方の端点に移動するようにして、ユーザに選択肢画像を選択させてもよい。
【０１９０】
次に、ユーザ操作情報の具体例について説明する。
【０１９１】
まず、操作情報取得部１４０は、ユーザ操作情報としてモーションセンサー信号をモーションセンサー４００から取得してもよい。
【０１９２】
ここで、モーションセンサー信号とは、モーションセンサー４００から操作情報取得部１４０が取得する信号のことを言う。モーションセンサー信号は、例えば加速度センサー信号や、ジャイロセンサー信号、方位センサー信号等を指す。
【０１９３】
これにより、ユーザの体の動きに応じて、複数の選択肢画像のうちのいずれかの選択肢画像を選択状態にすること等が可能になる。
【０１９４】
また、操作情報取得部１４０は、ユーザ１０の頭部の動きを表すモーションセンサー信号をモーションセンサー４００から取得してもよい。そして、処理部１３０は、モーションセンサー信号に基づいてユーザ１０の頭部の動きを特定し、ロック解除用画面において、現在、選択状態に設定されている選択肢画像に対して、次に選択状態となる選択肢画像が配置される方向を示す選択方向を、ユーザ１０の頭部の動きに基づいて特定してもよい。
【０１９５】
例えば、図８（Ａ）に示すように、モーションセンサーＳＥから取得されるモーションセンサー信号に基づいて、ユーザの頭部の動きＨＭを特定する。そして、ユーザの頭部が左方向に動いたと判定した場合には、図８（Ｂ）に示すように、複数の選択肢画像のうち、選択状態である選択肢画像を指し示すカーソル画像ＣＳＲを、左方向ＳＣへと移動させる。なお、前述したように、ユーザの頭部が左方向に動いたと判定した場合に、カーソル画像を右方向に移動させる等してもよい。
【０１９６】
これにより、ユーザの頭部の動きに応じて、複数の選択肢画像のうちのいずれかの選択肢画像を選択状態にすること等が可能になる。
【０１９７】
また、操作情報取得部１４０は、選択操作を行うための選択操作部と選択の確定操作を行うための選択確定操作部を有するユーザインタフェース部３００からユーザ操作情報を取得してもよい。そして、処理部１３０は、ユーザ操作情報に基づいて、選択操作部が操作されたことが検出された場合には、現在、選択状態に設定されている選択肢画像を非選択状態に設定し、他の選択肢画像を選択状態に設定し、ユーザ操作情報に基づいて、選択確定操作部が操作されたことが検出された場合には、現在、選択状態に設定されている選択肢画像を選択確定してもよい。
【０１９８】
さらに、処理部１３０は、選択確定操作部が二回連続して操作されたことを検出された場合には、これまでに入力された選択パターンに対して、ロック解除判定処理を行ってもよい。
【０１９９】
図９に、ユーザインタフェース部３００（図９ではＵＩ）の一例を示す。図９のユーザインタフェース部ＵＩは、頭部装着型表示装置１００の側面に取り付けるものであって、選択操作部ＳＢと、選択確定操作部ＤＢを有する。図９においては、選択操作部ＳＢと選択確定操作部ＤＢは、どちらも押しボタンである。
【０２００】
ここで、選択操作部ＳＢは、前述した図８（Ｂ）のようにカーソル画像を動かす等して、選択状態にする選択肢画像を変更するために用いる。一方、選択確定操作部ＤＢは、現在、選択状態である選択肢画像を選択確定する際に用いる。また、ユーザインタフェース部３００がキーボードである場合には、例えば、矢印キーを選択操作部として用い、エンターキーを選択確定操作部として用いても良い。また、選択操作部及び選択確定操作部に他のキーを割り当てるなどしてもよい。
【０２０１】
これにより、ユーザインタフェース部３００のユーザの操作内容に応じて、複数の選択肢画像のうちのいずれかの選択肢画像を選択状態にすること等が可能になる。
【０２０２】
また、操作情報取得部１４０は、表示画像を表示すると共に、ユーザ操作情報を検出するタッチパネル２９０を有する端末装置２００から、ユーザ操作情報を取得してもよい。
【０２０３】
これにより、タッチパネル２９０のユーザの操作内容に応じて、複数の選択肢画像のうちのいずれかの選択肢画像を選択状態にすること等が可能になる。
【０２０４】
また、処理部１３０は、ユーザ操作情報に基づいて、タッチパネル２９０がフリックされたことを検出した場合には、現在、選択状態に設定されている選択肢画像を非選択状態に設定し、他の選択肢画像を選択状態に設定してもよい。
【０２０５】
例えば、図１０（Ａ）のような端末装置ＴＵのタッチパネルＴＰを、指ＦＧでフリックして、ロック解除用画面に表示される複数の選択肢画像の中からいずれかの選択肢画像を選択する。図１０（Ａ）〜図１０（Ｃ）の例では、指ＦＧにより左方向にフリックされたことを検出し（図１０（Ａ））、反対方向の右方向にカーソル画像ＣＳＲを動かし（図１０（Ｂ））、「乗馬」の選択肢画像が選択状態から非選択状態にし、「魚」の選択肢画像を非選択状態から選択状態にする（図１０（Ｃ））。なお、カーソル画像ＣＳＲが選択方向へ移動するのではなく、カーソル画像ＣＳＲは移動せず、複数の選択肢画像の配置位置が横方向にずれて、カーソル画像ＣＳＲ内に収まった選択肢画像（すなわち、カーソル画像ＣＳＲと重畳される位置に移動した選択肢画像）を選択状態に設定するものであってもよい。また、図１０（Ｂ）及び図１０（Ｃ）において、選択肢画像のうち、選択状態である黒色の選択肢画像のみがロック解除用画面に表示されており、他の灰色の選択肢画像をロック解除用画面に表示させなくてもよい。
【０２０６】
そして、処理部１３０は、ユーザ操作情報に基づいて、タッチパネル２９０がタップされたことを検出した場合には、現在、選択状態に設定されている選択肢画像を選択確定にしてもよい。なお、この場合のタップ操作は、シングルタップでもよいし、ダブルタップでもよい。
【０２０７】
ここで、フリックとは、タッチパネルの表面を弾く（又はタッチパネルの表面をなぞるように素早く指を動かす）動作のことをいう。一方、タップとは、タッチパネルの表面を押す（又は所定の期間中、指を置く）動作のことをいう。また、一度だけタップする動作をシングルタップと呼び、二度連続してタップする動作をダブルタップと呼ぶ。
【０２０８】
これにより、フリック操作という直感的な操作をユーザが行うことにより、選択状態にある選択肢画像を変更し、同様にタップ操作という直感的な操作をユーザが行うことにより、現在、選択状態である選択肢画像を選択確定すること等が可能になる。
【０２０９】
また、処理部１３０は、ユーザ操作情報に基づいて、タッチパネル２９０がシングルタップされたことを検出した場合には、現在、選択状態に設定されている選択肢画像を非選択状態に設定し、他の選択肢画像を選択状態に設定し、ユーザ操作情報に基づいて、タッチパネル２９０がダブルタップされたことを検出した場合には、現在、選択状態である選択肢画像を選択確定にしてもよい。
【０２１０】
なお、この際には、選択方向を常に一定の方向に設定しておいてもよい。例えば、シングルタップをすると、常に右方向にカーソル画像が移動するようにしてもよい。
【０２１１】
これにより、ユーザはタッチパネル２９０をタップする回数を変えるだけで、選択操作と選択確定操作のそれぞれを行うこと等が可能になる。
【０２１２】
次に、図５に示す第３のシステム構成例のロック解除処理システムの動作について説明する。
【０２１３】
図５に示す第３のシステム構成例のロック解除処理システムは、頭部装着型表示装置１００と、頭部装着型表示装置１００と通信接続された端末装置２００と、を含む。そして、頭部装着型表示装置１００は、第１の表示画像を表示する第１の表示部１１０と、第１の表示部１１０に第１の表示画像を表示する制御を行う第１の表示制御部１２０と、を有する。一方、端末装置２００は、第２の表示画像を表示する第２の表示部２１０と、第２の表示部２１０に第２の表示画像を表示する制御を行う第２の表示制御部２２０と、を有する。さらに、頭部装着型表示装置１００又は端末装置２００は、ロック解除の判定処理を行う処理部１３０と、ユーザ操作情報を取得する操作情報取得部１４０と、を有する。
【０２１４】
この時、第１の表示制御部１２０は、頭部装着型表示装置１００又は端末装置２００のロック解除用画面を第１の表示部１１０に表示する。そして、処理部１３０は、ロック解除用画面において入力されたユーザ操作情報に基づいて、頭部装着型表示装置１００又は端末装置２００のロック状態が解除されたか否かを判定する。さらに、第１の表示制御部１２０は、頭部装着型表示装置１００又は端末装置２００のロック状態が解除されたと判定された場合には、頭部装着型表示装置１００又は端末装置２００のロック解除通知画面を第１の表示部１１０に表示する。
【０２１５】
また、第１の表示制御部１２０は、ロック解除処理中においては、第１の表示部１１０にロック解除用画面を表示してもよい。そして、第２の表示制御部２２０は、ロック解除処理中においては、第２の表示部２１０を非表示状態に設定し、ロック状態が解除されたと処理部１３０により判定された場合には、第２の表示部２１０を表示状態に設定してもよい。
【０２１６】
具体例を、図１１（Ａ）及び図１１（Ｂ）に示す。図１１（Ａ）は、端末装置ＴＵの操作内容を右から順番に表しており、図１１（Ｂ）は、図１１（Ａ）の操作に対応する頭部装着型表示装置１００の第１の表示部１１０の表示画像を表している。
【０２１７】
まず、ロック解除用画面のロック解除処理開始画像ＬＩＭをユーザが指ＦＧでタップすると、ロック解除処理が開始される。すると、端末装置ＴＵの第２の表示部２１０が非表示状態に設定される。これにより、外部からはユーザが入力した情報を確認することができなくなる。
【０２１８】
一方で、頭部装着型表示装置１００の第１の表示部１１０には、ロック解除用画面ＫＩＭが表示される。よって、外部からはロック解除用画面及びユーザの入力内容が確認できず、ユーザだけが確認できる状態になる。なお、前述したように、本例において表示されるロック解除用画面ＫＩＭは、テンキー画像であり、テンキー画像内の各数字キーＳＫが選択範囲（選択肢画像）になっている。
【０２１９】
そして、ユーザにより複数の数字キーが選択確定された後、エンターキーＤＫが選択確定されると、処理部がロック解除判定処理を行う。ここで、選択パターンがロック解除パターンと一致していると判定された場合には、処理部１３０がロック状態を解除し、頭部装着型表示装置１００の第１の表示部１１０にロック解除通知画面ＵＬＩＭを表示する。
【０２２０】
これにより、端末装置２００の表示部２１０を第三者に盗み見られることによるロック解除用のパスワード等の漏洩を防止すること等が可能になる。
【０２２１】
次に、指でなぞられた選択範囲の順番に基づいてロック解除処理を行う手法について、図１４（Ａ）〜図１４（Ｃ）を用いて説明する。まず、図１４（Ａ）は、端末装置ＴＵの操作内容を右から順番に表しており、図１４（Ｂ）は、頭部装着型表示装置１００の第１の表示部１１０に表示し、図１４（Ａ）の操作に対応する表示画像を表している。また、図１４（Ｃ）は、図１４（Ｂ）と異なるロック解除処理における表示画像を表している。
【０２２２】
まず、図１４（Ｂ）の場合について説明する。図１４（Ａ）に示すように、ロック解除用画面のロック解除処理開始画像ＬＩＭをユーザが指ＦＧでタップすると、ロック解除処理が開始される。すると、端末装置ＴＵの第２の表示部２１０が非表示状態に設定される。
【０２２３】
一方で、頭部装着型表示装置１００の第１の表示部１１０には、ロック解除用画面ＫＩＭ１が表示される。本例において表示されるロック解除用画面ＫＩＭ１には、丸形の選択範囲が複数設定されている。
【０２２４】
そして、ユーザが丸形の選択範囲を指で順番になぞる。図１４（Ｂ）の例では、始めに選択範囲ＳＴ１に指を置き、ＴＲ１のような軌跡を描きながら、選択範囲をなぞっていく。この時、なぞった選択範囲の順番ＴＲ１（選択パターン）が、あらかじめ決められたロック解除パターンと一致していると判定された場合には、処理部１３０がロック状態を解除し、頭部装着型表示装置１００の第１の表示部１１０にロック解除通知画面ＵＬＩＭ１を表示する。なお、図１４（Ｂ）の例において、選択パターンとロック解除パターンが一致しているか否かを判定する際には、なぞった選択範囲の位置と順番が全て一致しているか否かに基づいて判定される。
【０２２５】
一方、図１４（Ｃ）の例では、ロック解除画面として、丸形の選択範囲の他にも、三角形や四角形の選択範囲が設定された画面を用いる。ただし、丸形、三角形、四角形等には限定されず、どのような形の選択範囲を用いても良い。
【０２２６】
この時に、ロック解除パターンを、例えば「丸形、四角形、三角形、丸形、四角形、三角形」の順番とあらかじめ決めておく。そして、図１４（Ｃ）のＴＲ２のようにユーザがなぞった選択範囲と、ロック解除パターンが一致しているか否かを判定し、ロック解除処理を行い、ロック解除時にロック解除用画面ＫＩＭ２を第１の表示部１１０に表示する。ただし、本例では、形が同じであれば、どの位置に設定されている選択範囲を選択してもよい。つまり、同一のロック解除パターンであっても、指でなぞる軌跡が異なることがある。
【０２２７】
そのため、外部から第三者がロック解除パターンを解読することをより困難にすること等が可能になる。
【０２２８】
なお、本実施形態の頭部装着型表示装置１００及びロック解除処理システム等は、その処理の一部または大部分をプログラムにより実現してもよい。この場合には、ＣＰＵ等のプロセッサーがプログラムを実行することで、頭部装着型表示装置１００及びロック解除処理システム等が実現される。具体的には、情報記憶媒体に記憶されたプログラムが読み出され、読み出されたプログラムをＣＰＵ等のプロセッサーが実行する。ここで、情報記憶媒体（コンピューターにより読み取り可能な媒体）は、プログラムやデータなどを格納するものであり、その機能は、光ディスク（ＤＶＤ、ＣＤ等）、ＨＤＤ（ハードディスクドライブ）、或いはメモリー（カード型メモリー、ＲＯＭ等）などにより実現できる。そして、ＣＰＵ等のプロセッサーは、情報記憶媒体に格納されるプログラム（データ）に基づいて本実施形態の種々の処理を行う。即ち、情報記憶媒体には、本実施形態の各部としてコンピューター（操作部、処理部、記憶部、出力部を備える装置）を機能させるためのプログラム（各部の処理をコンピューターに実行させるためのプログラム）が記憶される。
【０２２９】
４．処理の詳細
本実施形態において、端末装置のロック状態を解除する処理の流れを図１２のシーケンス図を用いて説明する。なお、図１２のシーケンス図は、図５に示す第３のシステム構成例で、ユーザインタフェース部３００を入力装置として用いる場合の処理の流れを説明するものであるが、図示の都合上、第１の表示部１１０、第２の表示部２１０、第２の表示制御部２２０、操作情報取得部１４０は、省略している。
【０２３０】
まず、頭部装着型表示装置１００の第１の通信部１５０と端末装置２００の第２の通信部２５０が通信接続を行い（Ｔ１００）、第２の通信部２５０が端末装置２００の処理部１３０に対して、ロック解除処理の開始要求を行う（Ｔ１０１）。
【０２３１】
次に、処理部１３０がロック解除用画面を生成し（Ｔ１０２）、ロック解除用画面の情報を第２の通信部２５０に送信する（Ｔ１０３）。そして、第２の通信部２５０が、ロック解除用画面の情報を暗号化して（Ｔ１０４）、暗号化したロック解除用画面の情報を第１の通信部１５０に送信する（Ｔ１０５）。
【０２３２】
そして、第１の通信部１５０は、受信したロック解除用画面の情報を復号し（Ｔ１０６）、復号したロック解除用画面の情報を第１の表示制御部１２０に送信する（Ｔ１０７）。
【０２３３】
さらに、第１の表示制御部１２０は、ロック解除用画面を頭部装着型表示装置１００の第１の表示部１１０に表示する（Ｔ１０８）。
【０２３４】
ここで、ロック解除用画面を見たユーザが、ユーザインタフェース部を操作し（Ｔ１０９）、端末装置２００の処理部１３０が、ユーザ操作情報を取得する（Ｔ１１０）。このユーザ操作情報には、前述した複数の選択肢画像のうちのいずれの選択肢画像を選択状態にするかといった情報や、現在選択状態である選択肢画像を選択確定するという情報などが含まれている。Ｔ１１０では、複数の選択肢画像のうちのいずれの選択肢画像を選択状態にするかといった情報、すなわち選択操作部の操作情報をユーザ操作情報として受信するものとする。
【０２３５】
そして、処理部１３０は、受信したユーザ操作情報に基づいて、ロック解除用画面を生成し直す（Ｔ１１１）。ここでは、前回、選択状態であった選択肢画像を非選択状態にして、他の選択肢画像を選択状態にしたロック解除用画面を生成する。
【０２３６】
この後、ユーザが選択したいと考えている選択肢画像が選択状態になるまで、Ｔ１０３からＴ１１１の処理を繰り返す。そして、ユーザが選択したいと考えている選択肢画像が選択状態になったロック解除用画面を、第１の表示制御部１２０が第１の表示部１１０に表示し（Ｔ１１２）、ユーザが現在選択状態になっている選択肢画像を選択確定するキー操作を行う（Ｔ１１３）。
【０２３７】
その後、端末装置２００の処理部１３０が、選択確定操作部が操作されたことを表すユーザ操作情報を取得する（Ｔ１１４）。そして、処理部１３０は、選択パターンがロック解除パターンと一致しているか否かを判定し（Ｔ１１５）、選択パターンがロック解除パターンと一致していると判定し、ロック状態が解除されたと判定した場合には、端末装置２００のロック状態を解除する（Ｔ１１５）。
【０２３８】
そして、処理部１３０が第２の通信部２５０に完了通知を送信し（Ｔ１１６）、第２の通信部２５０が第１の通信部１５０との通信を切断し（Ｔ１１７）、ロック解除処理を終了する。
【０２３９】
一方、Ｔ１１５において、選択パターンがロック解除パターンと一致していないと判定し、ロック状態が解除されていないと判定した場合には、再度、ロック解除用画面を生成し、Ｔ１０３から処理をやり直す。例えば、この場合には、選択肢画像の並び順や配置位置を変更したロック解除用画面を生成し、新たに生成したロック解除用画面を表示部に表示する等してもよい。
【０２４０】
以上のように本実施形態について詳細に説明したが、本発明の新規事項および効果から実体的に逸脱しない多くの変形が可能であることは当業者には容易に理解できるであろう。従って、このような変形例はすべて本発明の範囲に含まれるものとする。例えば、明細書又は図面において、少なくとも一度、より広義または同義な異なる用語と共に記載された用語は、明細書又は図面のいかなる箇所においても、その異なる用語に置き換えることができる。また、頭部装着型表示装置１００、ロック解除処理システム及びプログラムの構成、動作も本実施形態で説明したものに限定されず、種々の変形実施が可能である。
【符号の説明】
【０２４１】
１００  頭部装着型表示装置、１１０  表示部（第１の表示部）、
１２０  表示制御部（第１の表示制御部）、１３０  処理部、
１４０  操作情報取得部、１５０  第１の通信部、２００  端末装置、
２１０  第２の表示部、２２０  第２の表示制御部、２５０  第２の通信部、
２９０  タッチパネル、３００  ユーザインタフェース部、
４００  モーションセンサー
【図１】
2014078814.tif 000003
【図２】
2014078814.tif 000004
【図３】
2014078814.tif 000005
【図４】
2014078814.tif 000006
【図５】
2014078814.tif 000007
【図６】
2014078814.tif 000008
【図７】
2014078814.tif 000009
【図８】
2014078814.tif 000010
【図９】
2014078814.tif 000011
【図１０】
2014078814.tif 000012
【図１１】
2014078814.tif 000013
【図１２】
2014078814.tif 000014
【図１３】
2014078814.tif 000015
【図１４】
2014078814.tif 000016